(57)【要約】【課題】非シリコーン化合物で、シリコーン化合物と同様の感触、つや向上効果を有し、ビルドアップ性が少なく、さらに、毛髪を保護し、くし通りを向上させ、ブラッシングによる枝毛の発生を抑える効果を有する化合物を提供する。【解決手段】ダイマー酸およびダイマージオールの一方もしくは両方を構成単位として含む重量平均分子量３万〜１００万のポリエステルを用いる。本発明のポリエステルを用いることにより、シリコーン化合物と同様の感触、つや向上効果、さらに、毛髪のくし通り性向上、ブラッシングによる枝毛の発生抑制といった効果が得られる。また、本発明のポリエステルは、ビルドアップ性が少ない。【選択図】なし【特許請求の範囲】
【請求項１】
ダイマー酸およびダイマージオールの一方もしくは両方を構成単位として含む、重量平均分子量３万〜１００万の、化粧料に使用されるポリエステル。
【請求項２】
ダイマー酸およびダイマージオールの両方を構成単位として含む、重量平均分子量が３万〜１００万の、化粧料に使用されるポリエステル。
【請求項３】
重量平均分子量が７万〜５０万である請求項１又は２に記載のポリエステル。
【請求項４】
ダイマー酸が水素添加ダイマー酸である請求項１〜３の何れかに記載のポリエステル。
【請求項５】
請求項１〜４の何れかに記載のポリエステルを含有する化粧料用油剤。
【請求項６】
請求項１〜４の何れかに記載のポリエステルを含有する化粧料。
【請求項７】
請求項１〜４の何れかに記載のポリエステルを含有する毛髪化粧料。
【請求項８】
請求項１〜４の何れかに記載のポリエステルを含有するメイクアップ化粧料。
【発明の詳細な説明】
【技術分野】
【０００１】
本発明は、ダイマー酸およびダイマージオールの一方もしくは両方を構成単位として含む、重量平均分子量３万〜１００万のポリエステル、並びに、該ポリエステルを含有する油剤及び化粧料に関する。
【背景技術】
【０００２】
従来からシリコーン化合物は、皮膚や毛髪にさらっとした軽い感触や滑らかさを付与し、つやを向上させる効果を有することから、広く化粧料に用いられている。また、毛髪化粧料においては、高重合度のシリコーンやアミノ変性シリコーンが特に使用されるが、このようなシリコーン化合物は感触・つやの向上に加え、毛髪を保護し、くし通りを向上させるとともに、ブラッシングによる枝毛の発生を抑えることが知られている。しかしながら、シリコーン化合物はビルドアップ性（毛髪表面への蓄積性）を有するため、シリコーン配合毛髪化粧料を繰り返し使用していると、次第に毛髪にごわつきやきしみが生じたり、化学的毛髪処理（ウエービング、カラーリング等）する際に薬剤が毛髪に浸透しにくくなったりする問題があった。
【０００３】
このような背景のもと、非シリコーン化合物を用いて、シリコーンと類似の感触や光沢を付与する試みがなされている。そのひとつとして、特許文献１（特開２００４−２６２７８３号）には、ダイマー酸及びダイマージオールの一方若しくは両方を構成単位として含むオリゴマーエステルをシリコーン類似感触付与剤として使用することが記載されている。この特許によれば、該オリゴマーエステルを用いることにより、シリコーンと同様の感触、つや向上効果が得られ、更に、ビルドアップ性が少ないことが開示されている。なお、この特許においてシリコーン類似感触付与剤として具体的に開示されている化合物は、特許文献３の表１に記載されているように、重量平均分子量が５，０００〜１２，０００の範囲のものである。また、特許文献２、３には、ダイマー酸及びダイマージオールの一方若しくは両方を構成単位として含むエステルが、化粧料用の油剤として安全性、安定性、艶、使用感等に優れることが記載されているが、具体的に開示された化合物としては、すべて重量平均分子量が２０，０００より小さいオリゴマーエステルである。すなわち、ダイマー酸及びダイマージオールの一方若しくは両方を構成単位として含むエステルにおいて、重量平均分子量が３０，０００以上のポリエステルについては、未だ知られていなかった。
【０００４】
また、口紅やグロスといった油性のメイクアップ化粧料では、処方の粘性を上げるために、デキストリン誘導体などの油ゲル化剤が使用されるが、これらは高濃度に配合する必要があり、べたつきといった不快な感触を伴うため、油ゲル化剤を減量又は不使用にすることが望まれていた。
【先行技術文献】
【特許文献】
【０００５】
【特許文献１】特開２００４−２６２７８３号
【特許文献２】特開２００１−０７２５３０号
【特許文献３】特開２００２−２７５０２０号
【発明の概要】
【発明が解決しようとする課題】
【０００６】
上記のように、従来から知られていた特許文献３のダイマー酸及びダイマージオールの一方若しくは両方を構成単位として含むオリゴマーエステルは、シリコーン類似感触付与剤として優れたものであるが、高重合度のシリコーンやアミノ変性シリコーンのような、毛髪を保護し、くし通りを向上させ、ブラッシングによる枝毛の発生を抑えるといった効果については十分とは言えなかった。
すなわち、本発明の課題としては、非シリコーン化合物で、シリコーン化合物と同様の感触、つや向上効果を有し、ビルドアップ性が少なく、さらに、毛髪を保護し、くし通りを向上させ、ブラッシングによる枝毛の発生を抑える効果を有する化合物を提供することにある。また、メイクアップ化粧料において、処方の感触を損なわずに、増粘することができる化合物を提供することも本発明の課題のひとつである。
【課題を解決するための手段】
【０００７】
本発明者らはかかる状況に鑑み、鋭意検討を重ねた結果、ダイマー酸およびダイマージオールの一方もしくは両方を構成単位として含む重量平均分子量３万〜１００万のポリエステルが、上記課題を解決できることを見出し、本発明を完成した。
【発明の効果】
【０００８】
本発明のポリエステルを用いることにより、シリコーン化合物と同様の感触、つや向上効果、さらに、毛髪のくし通り性向上、ブラッシングによる枝毛の発生抑制といった効果が得られる。したがって、毛髪化粧料中の高重合度のシリコーンやアミノ変性シリコーンをそのまま本発明のポリエステルと置き換えることで同等の感触・効果を有する毛髪化粧料を得ることが可能である。また、本発明のポリエステルは、ビルドアップ性が少ないため、本発明の油剤を配合した毛髪化粧料を繰り返し使用しても、シリコーン化合物で懸念されるような問題が生じることがない。
【０００９】
本発明のポリエステルは、感触に優れるとともに、他の油剤との相溶性に優れ、非常に高粘度であるため、感触を損なうことなくメイクアップ化粧料を増粘することができ、油ゲル化剤の減量又は不使用が可能である。また本発明者らは、本発明のポリエステルが、従来のオリゴマーエステルと比較して、皮膚に対して柔軟性を付与する効果に優れることを見出し、このような効果も、本発明の効果のひとつとして挙げられる。
【発明を実施するための形態】
【００１０】
本発明に用いられるダイマー酸及びダイマージオールの一方若しくは両方を構成単位として含むポリエステルは、以下に述べるダイマー酸及びダイマージオールを原料として製造されるものである。
【００１１】
ダイマー酸は不飽和脂肪酸の分子間重合反応によって得られる既知の二塩基酸であり、その工業的製造プロセスは業界でほぼ標準化されており、例えば、ダイマー酸または／及びその低級アルコールエステルは、炭素数が１１〜２２の不飽和脂肪酸またはその低級アルコールエステルを粘土触媒等にて２量化して得られる。工業的に得られるダイマー酸は、炭素数３６程度の２塩基酸が主成分であるが、精製の度合いに応じ任意量のトリマー酸、モノマー酸を含有する。一般にダイマー酸の含有量は７０重量％を越える程度のもの、及び、分子蒸留によってダイマー酸含有量を９０重量％以上にまで高めたものが流通している。また、ダイマー化反応後には二重結合が残存するが、更に水素化を行って酸化安定性を向上させたダイマー酸、すなわち水素添加ダイマー酸も販売されている。本発明のポリエステルの製造には、このような現在流通しているいずれのダイマー酸を用いることが可能であるが、酸化安定性の面から、水素添加したダイマー酸がより好ましい。また、これらのダイマー酸には動物油脂由来及び植物油脂由来のものが流通しているが、植物油脂由来のものがより好ましい。このようなダイマー酸としては、例えばＣｒｏｄａ社のＰＲＩＰＯＬ１００６、同１００９、同１０１５、同１０２５等が市販品として入手できる。
【００１２】
ダイマージオールは、上記ダイマー酸または／及びその低級アルコールエステルを触媒存在下で水素添加して、ダイマー酸のカルボン酸部分をアルコールとした炭素数３６程度のジオールを主成分としたものである。工業的に得られるダイマージオールは、原料として用いるダイマー酸または／及びその低級アルコールエステルの精製の度合いに応じ、他の成分、例えばトリマートリオール、モノマーアルコール及びエーテル化合物を含有する場合があり、一般にはダイマージオールの含有量が約７０重量％を越えるもの、更に精製を加えてダイマージオール含有量が９０重量％を越えるもの等が流通しているが、本発明に用いる重縮合物の製造にはその何れもが使用できる。ダイマージオールについても動物油脂由来及び植物油脂由来のものが流通しているが、植物油脂由来のものより好ましい。このようなダイマージオールとしては、Ｃｒｏｄａ社のＰＲＩＰＯＬ２０３３等が市販品として入手できる。
【００１３】
本発明に用いるダイマー酸及びダイマージオールの一方若しくは両方を構成単位として含むポリエステルとは、ダイマー酸とダイマージオール以外の二価のアルコールとのエステル、ダイマージオールとダイマー酸以外の二価のカルボン酸とのエステル、及び、ダイマー酸とダイマージオールとのエステルから選択される１種または２種以上を包括する化合物である。
【００１４】
本発明に用いられるダイマージオール以外の二価のアルコールとしては、炭素数２〜２４の飽和の直鎖、分岐、環含有若しくは環状の二価のアルコールが好ましい。具体的には、エチレングリコール、プロピレングリコール、１，３−プロパンジオール、１，４−ブタンジオール、１，３−ブタンジオール、１，２−ブタンジオール、１，５−ペンタンジオール、１，２−ペンタンジオール、ネオペンチルグリコール、２，２−ジメチル−１，３−プロパンジオール、１，６−ヘキサンジオール、１，２−ヘキサンジオール、２，５−ヘキサンジオール、へキシレングリコール、３−メチル−１，５−ペンタンジオール、１，７−ヘプタンジオール、２，２−ジエチル−１，３−プロパンジオール、２，２，４−トリメチル−１，５−ペンタンジオール、１，８−オクタンジオール、２−ブチル−２−エチル−１，３−プロパンジオール、１，９−ノナンジオール、１，８−ノナンジオール、２，４−ジエチル−１，５−ペンタンジオール、１，１０−デカンジオール、１，１１−ウンデカンジオール、１，１０−ウンデカンジオール、１，１２−ドデカンジオール、１，２−ドデカンジオール、１，１３−トリデカンジオール、１，１４−テトラデカンジオール、１，２−テトラデカンジオール、１，１６−ヘキサデカンジオール、１，２−ヘキサデカンジオール、１，１８−オクタデカンジオール、１，２−オクタデカンジオール、１，１２−オクタデカンジオール、９−オクタデセン−１，１２−ジオール、１，２０−イコサンジオール、１，４−シクロヘキサンジオール、１，４−シクロヘキサンジメタノール、１，３−シクロヘキサンジメタノール、１，２−シクロヘキサンジメタノール、ソルビトールの脱水物であるイソソルバイド、ジエチレングリコール、トリエチレングリコール、テトラエチレングリコール、ポリエチレングリコール、ジプロピレングリコール、トリプロピレングリコール、テトラプロピレングリコール、ポリプロピレングリコール等が挙げられる。これらのうち、入手性や得られるエステルの感触等の観点から、エチレングリコール、プロピレングリコール、１，３−プロパンジオール、１，４−ブタンジオール、１，３−ブタンジオール、１，５−ペンタンジオール、ネオペンチルグリコール、２，２−ジメチル−１，３−プロパンジオール、１，６−ヘキサンジオール、へキシレングリコール、３−メチル−１，５−ペンタンジオール、２，２−ジエチル−１，３−プロパンジオール、２，２，４−トリメチル−１，５−ペンタンジオール、１，８−オクタンジオール、２−ブチル−２−エチル−１，３−プロパンジオール、２，４−ジエチル−１，５−ペンタンジオール、１，１０−デカンジオール、１，４−シクロヘキサンジオール、１，４−シクロヘキサンジメタノール、イソソルバイド等が好ましいものとして挙げられる。
【００１５】
本発明に用いられるダイマー酸以外の二価のカルボン酸としては、炭素数４〜２４の飽和の直鎖、分岐、若しくは環含有の二価のカルボン酸が好ましい。具体的には、マロン酸、コハク酸、グルタル酸、アジピン酸、３−メチルペンタン二酸、アゼライン酸、セバシン酸、２，４−ジエチルペンタン二酸、ドデカン二酸、トリデカン二酸、テトラデカン二酸、ヘキサデカン二酸、オクタデカン二酸、イコサン二酸、ジメチルイコサン二酸、ドコサン二酸、シクロヘキサンジカルボン酸、リンゴ酸、酒石酸等が挙げられる。これらのうち、入手性や得られるエステルの感触等の観点から、コハク酸、グルタル酸、アジピン酸、３−メチルペンタン二酸、アゼライン酸、セバシン酸、ドデカン二酸、テトラデカン二酸、ヘキサデカン二酸、オクタデカン二酸、イコサン二酸、ジメチルイコサン二酸、シクロヘキサンジカルボン酸等が好ましいものとして挙げられる。
【００１６】
本発明の効果をもっとも発揮させる点で、ダイマー酸及びダイマージオールの両方を構成単位として含むポリエステルを使用することが最も好ましい。このような場合でも、ダイマー酸以外の二価のカルボン酸、ダイマージオール以外の二価のアルコールを構成単位として含んでいてもよい。
【００１７】
本発明のポリエステルは、末端がアルコール又はカルボン酸となる化合物である。本発明のポリエステルは、末端をさらに一価のカルボン酸又はアルコールでエステル化されたものでもよい。また、末端がカルボン酸の場合は中和された塩の形であってもよい。塩としては、ナトリウム、カリウム等のアルカリ金属塩、カルシウムやマグネシウム等のアルカリ土類金属塩、アルミニウム、鉄、亜鉛、銅、コバルト等の金属塩、リシンやアルギニン等の塩基性アミノ酸塩、トリエチルアミン、ステアリルアミン等の有機アミン塩等が挙げられる。
【００１８】
本発明のポリエステルの製造方法は、特に限定されず、使用する二価のカルボン酸と二価のアルコールを通常用いられる方法でエステル化すればよい。エステル化反応の条件は特に限定されず、例えば、触媒としてパラトルエンスルホン酸、硫酸、塩酸、メタンスルホン酸、三フッ化ホウ素ジエチルエーテル錯体等を用い、溶媒としてヘプタン、ヘキサン、シクロヘキサン、トルエン、キシレン等を用いて、５０〜２６０℃で行うことができる。あるいは無溶剤、無触媒でも１００〜２６０℃でエステル化を行うことができる。
【００１９】
本発明のポリエステルは、重量平均分子量が３万〜１００万、より好ましくは、７万〜５０万である。本発明のポリエステルの重量平均分子量は、反応させる二価のカルボン酸と二価のアルコールの仕込み比率を変えることにより調整することが可能である。本発明のポリエステルの反応比率としては、末端がアルコールとなる場合は、二価のアルコール１モルに対して、二価のカルボン酸を０．８５〜１．０モル、より好ましくは０．９５〜１．０モルである。末端がカルボン酸となる場合は、二価のカルボン酸１モルに対して、二価のアルコールを０．８５〜１．０モル、より好ましくは０．９５〜１．０モルである。
【００２０】
本発明のポリエステルは、非常に高粘度であり、また、結晶化することがないため、室温においては流動性がないガラス状物となる。したがって、室温で小分けや計量等の取り扱いが難しい。一方、本発明のポリエステルは各種の油剤との相溶性に優れることから、液状油で均一に希釈することが可能であり、こうすることで室温でも流動性のある状態で取り扱うことが可能となる。本発明のポリエステルを希釈する液状油としては、具体的には、トリ（カプリル酸／カプリン酸）グリセリル、ジカプリン酸ネオペンチルグリコール等の室温で液状の多価アルコール脂肪酸エステル類、大豆油、米ぬか油等の油脂類、水添ポリイソブテン、イソドデカン、スクワラン等の室温で液状の炭化水素類、パルミチン酸イソプロピル、セバシン酸ジエチルヘキシルチル等の室温で液状のモノアルコールカルボン酸エステル類、Ｎ−ラウロイル−Ｌ−グルタミン酸ジ（フィトステリル／オクチルドデシル）等のアシルアミノ酸ジエステル類、オクチルドデカノール等の常温で液状の高級アルコール類が挙げられる。液状油での希釈率は特に制限はなく、室温で流動性が得られる程度に希釈すればよい。具体的には、ポリエステルの比率が０．１〜９９重量％、好ましくは、１〜９０重量％程度に希釈すればよい。
【００２１】
本発明のポリエステル及び本発明のポリエステルを含有する油剤は、酸化安定性に優れた物であるが、酸化防止剤を添加することによって更に酸化安定性を向上させることができる。酸化防止剤としては通常油剤に添加される物を使用することができるが、特にビタミンＥ類の使用が望ましい。ビタミンＥ類としては、ｄ−α−トコフェロール、ｄ−δ−トコフェロール、ｄ，ｌ−α−トコフェロール、酢酸ｄ−α−トコフェロール、酢酸ｄ，ｌ−α−トコフェロール、大豆や菜種より分離精製されたトコフェロ−ル混合物等を使用することができる。酸化防止剤の添加量に特に制限はないが、１０ｐｐｍ〜１００００ｐｐｍ程度が適当である。
【００２２】
本発明のポリエステル及び本発明のポリエステルを含有する油剤は、化粧料に配合して使用することで本発明の優れた効果を得ることができるが、化粧料への配合量としては、特に制限はなく、通常０．０１〜９９重量％、好ましくは、０．０５〜５０重量％である。また、毛髪化粧料において、高重合度のシリコーンやアミノ変性シリコーンの代替として、本発明のポリエステルを使用する場合は、高重合度のシリコーンやアミノ変性シリコーンと同程度の量を使用すればよく、通常０．００１〜５０重量％、好ましくは、０．００５〜１０重量％程度配合すればよい。
【００２３】
本発明の化粧料には必要に応じて水及び通常化粧料に配合される添加成分、例えば油性基剤、界面活性剤、アルコール類、保湿剤、高分子・増粘・ゲル化剤、酸化防止剤、防腐剤、殺菌剤、キレート剤、ｐＨ調整剤・酸・アルカリ、紫外線吸収剤、美白剤、溶剤、角質剥離・溶解剤、鎮痒剤、消炎剤、制汗剤、清涼剤、抗ヒスタミン剤、収れん剤、刺激剤、育毛用薬剤・血行促進剤、還元剤・酸化剤、高分子粉体、ヒドロキシ酸、ビタミン類及びその誘導体類、糖類及びその誘導体類、有機酸類、酵素類、核酸類、ホルモン類、無機粉体類、香料、色素等を配合することができる。
【００２４】
油性基剤としては、セタノール、ミリスチルアルコール、オレイルアルコール、ラウリルアルコール、セトステアリルアルコール、ステアリルアルコール、アラキルアルコール、ベヘニルアルコール、ホホバアルコール、キミルアルコール、セラキルアルコール、バチルアルコール、ヘキシルデカノール、イソステアリルアルコール、２−オクチルドデカノール、ダイマージオール等の高級アルコール類；ベンジルアルコール等のアラルキルアルコール及び誘導体；ラウリン酸、ミリスチン酸、パルミチン酸、ステアリン酸、イソステアリン酸、ベヘン酸、ウンデシレン酸、１２−ヒドロキシステアリン酸、パルミトオレイン酸、オレイン酸、リノール酸、リノレイン酸、エルカ酸、ドコサヘキサエン酸、エイコサペンタエン酸、イソヘキサデカン酸、アンテイソヘンイコサン酸、長鎖分岐脂肪酸、ダイマー酸、水素添加ダイマー酸等の高級脂肪酸類及びそのアルミニウム塩、カルシウム塩、マグネシウム塩、亜鉛塩、カリウム、ナトリウム塩等の金属石けん類、及びアミド等の含窒素誘導体類；流動パラフィン（ミネラルオイル）、重質流動イソパラフィン、軽質流動イソパラフィン、α−オレフィンオリゴマー、ポリイソブテン、水添ポリイソブテン、ポリブテン、スクワラン、オリーブ由来スクワラン、スクワレン、ワセリン、固型パラフィン等の炭化水素類；キャンデリラワックス、カルナウバワックス、ライスワックス、木ろう、みつろう、モンタンワックス、オゾケライト、セレシン、パラフィンワックス、マイクロクリスタリンワックス、ペトロラタム、フィッシャートロプシュワックス、ポリエチレンワックス、エチレン・プロピレンコポリマー等のワックス類；ヤシ油、パーム油、パーム核油、サフラワー油、オリーブ油、ヒマシ油、アボカド油、ゴマ油、茶油、月見草油、小麦胚芽油、マカデミアナッツ油、ヘーゼルナッツ油、ククイナッツ油、ローズヒップ油、メドウフォーム油、パーシック油、ティートリー油、ハッカ油、トウモロコシ油、ナタネ油、ヒマワリ油、小麦胚芽油、アマニ油、綿実油、大豆油、落花生油、コメヌカ油、カカオ脂、シア脂、水素添加ヤシ油、水素添加ヒマシ油、ホホバ油、水素添加ホホバ油等の植物油脂類；牛脂、乳脂、馬脂、卵黄油、ミンク油、タートル油等の動物性油脂類；鯨ロウ、ラノリン、オレンジラッフィー油等の動物性ロウ類；液状ラノリン、還元ラノリン、吸着精製ラノリン、酢酸ラノリン、酢酸液状ラノリン、ヒドロキシラノリン、ポリオキシエチレンラノリン、ラノリン脂肪酸、硬質ラノリン脂肪酸、ラノリンアルコール、酢酸ラノリンアルコール、酢酸（セチル・ラノリル）エステル等のラノリン類；レシチン、ホスファチジルコリン、ホスファチジルエタノールアミン、ホスファチジルセリン、ホスファチジルグリセロール、ホスファチジルイノシトール、スフィンゴミエリン等のスフィンゴリン脂質、ホスファチジン酸、リゾレシチン等のリン脂質類；水素添加大豆リン脂質、部分水素添加大豆リン脂質、水素添加卵黄リン脂質、部分水素添加卵黄リン脂質等のリン脂質誘導体類；コレステロール、ジヒドロコレステロール、ラノステロール、ジヒドロラノステロール、フィトステロール、コール酸等のステロール類；サポゲニン類；サポニン類；酢酸���レステリル、ノナン酸コレステリル、ステアリン酸コレステリル、イソステアリン酸コレステリル、オレイン酸コレステリル、Ｎ−ラウロイル−Ｌ−グルタミン酸ジ（コレステリル／ベヘニル／オクチルドデシル）、Ｎ−ラウロイル−Ｌ−グルタミン酸ジ（コレステリル／オクチルドデシル）、Ｎ−ラウロイル−Ｌ−グルタミン酸ジ（フィトステリル／ベヘニル／オクチルドデシル）、Ｎ−ラウロイル−Ｌ−グルタミン酸ジ（フィトステリル／オクチルドデシル）、Ｎ−ラウロイルサルコシンイソプロピル等のアシルサルコシンアルキルエステル、１２−ヒドロキシステアリン酸コレステリル、マカデミアナッツ油脂肪酸コレステリル、マカデミアナッツ油脂肪酸フィトステリル、イソステアリン酸フィトステリル、軟質ラノリン脂肪酸コレステリル、硬質ラノリン脂肪酸コレステリル、長鎖分岐脂肪酸コレステリル、長鎖α−ヒドロキシ脂肪酸コレステリル等のステロールエステル類；リン脂質・コレステロール複合体、リン脂質・フィトステロール複合体等の脂質複合体；ミリスチン酸オクチルドデシル、ミリスチン酸ヘキシルデシル、イソステアリン酸オクチルドデシル、パリミチン酸セチル、パルミチン酸オクチルドデシル、オクタン酸セチル、オクタン酸ヘキシルデシル、イソノナン酸イソトリデシル、イソノナン酸イソノニル、イソノナン酸オクチル、イソノナン酸イソトリデシル、ネオペンタン酸イソデシル、ネオペンタン酸イソトリデシル、ネオペンタン酸イソステアリル、ネオデカン酸オクチルドデシル、オレイン酸オレイル、オレイン酸オクチルドデシル、リシノレイン酸オクチルドデシル、ラノリン脂肪酸オクチルドデシル、ジメチルオクタン酸ヘキシルデシル、エルカ酸オクチルドデシル、イソステアリン酸硬化ヒマシ油、オレイン酸エチル、アボカド油脂肪酸エチル、ミリスチン酸イソプロピル、パルミチン酸イソプロピル、パルミチン酸オクチル、イソステアリン酸イソプロピル、ラノリン脂肪酸イソプロピル、ラウリン酸メチルヘプチル、ミリスチン酸メチルヘプチル、パルミチン酸メチルヘプチル、イソステアリン酸メチルヘプチル、セバシン酸ジエチル、セバシン酸ジイソプロピル、セバシン酸ジオクチル、アジピン酸ジイソプロピル、セバシン酸ジブチルオクチル、アジピン酸ジイソブチル、コハク酸ジオクチル、クエン酸トリエチル等のモノアルコールカルボン酸エステル類；乳酸セチル、リンゴ酸ジイソステアリル、モノイソステアリン酸水添ヒマシ油、γ−エルカラクトン等のオキシ酸エステル類；トリオクタン酸グリセリル、トリオレイン酸グリセリル、トリイソステアリン酸グリセリル、ジイソステアリン酸グリセリル、トリ（カプリル酸／カプリン酸）グリセリル、トリ（カプリル酸／カプリン酸／ミリスチン酸／ステアリン酸）グリセリル、水添ロジントリグリセリド（水素添加エステルガム）、ロジントリグリセリド（エステルガム）、ベヘン酸エイコサン二酸グリセリル、トリオクタン酸トリメチロールプロパン、トリイソステアリン酸トリメチロールプロパン、ジオクタン酸ネオペンチルグリコール、ジカプリン酸ネオペンチルグリコール、ジオクタン酸２−ブチル−２−エチル−１，３−プロパンジオール、ジオレイン酸プロピレングリコール、テトラオクタン酸ペンタエリスリチル、水素添加ロジンペンタエリスリチル、トリエチルヘキサン酸ジトリメチロールプロパン、（イソステアリン酸／セバシン酸）ジトリメチロールプロパン、トリエチルヘキサン酸ペンタエリスリチル、（ヒドロキシステアリン酸／ステアリン酸／ロジン酸）ジペンタエリスリチル、ジイソステアリン酸ジグリセリル、テトライソステアリン酸ポリグリセリル、ノナイソステアリン酸ポリグリセリル−１０、デカ（エルカ酸／イソステアリン酸／リシノレイン酸）ポリグリセリル−８、（ヘキシルデカン酸／セバシン酸）ジグリセリルオリゴエステル、ジステアリン酸グリコール（ジステアリン酸エチレングリコール）、ジネオペンタン酸３−メチル−１，５−ペンタンジオール、ジネオペンタン酸２，４−ジエチル−１，５−ペンタンジオール等の多価アルコール脂肪酸エステル類；ダイマージリノール酸ジイソプロピル、ダイマージリノール酸ジイソステアリル、ダイマージリノール酸ジ（イソステアリル／フィトステリル）、ダイマージリノール酸（フィトステリル／ベヘニル）、ダイマージリノール酸（フィトステリル／イソステアリル／セチル／ステアリル／ベヘニル）、ダイマージリノール酸ダイマージリノレイル、ジイソステアリン酸ダイマージリノレイル、ダイマージリノレイル水添ロジン縮合物、ダイマージリノール酸硬化ヒマシ油、ヒドロキシアルキルダイマージリノレイルエーテル等のダイマー酸若しくはダイマージオールの誘導体；ヤシ油脂肪酸モノエタノールアミド（コカミドＭＥＡ）、ヤシ油脂肪酸ジエタノールアミド（コカミドＤＥＡ）、ラウリン酸モノエタノールアミド（ラウラミドＭＥＡ）、ラウリン酸ジエタノールアミド（ラウラミドＤＥＡ）、ラウリン酸モノイソプロパノールアミド（ラウラミドＭＩＰＡ）、パルミチン酸モノエタノールアミド（パルタミドＭＥＡ）、パルミチン酸ジエタノールアミド（パルタミドＤＥＡ）、ヤシ油脂肪酸メチルエタノールアミド（コカミドメチルＭＥＡ）等の脂肪酸アルカノールアミド類；ジメチコン（ジメチルポリシロキサン）、高重合ジメチコン（高重合ジメチルポリシロキサン）、シクロメチコン（環状ジメチルシロキサン、デカメチルシクロペンタシロキサン）、フェニルトリメチコン、ジフェニルジメチコン、フェニルジメチコン、（アミノエチルアミノプロピルメチコン／ジメチコン）コポリマー、ジメチコノール、ジメチコノールクロスポリマー、シリコーン樹脂、シリコーンゴム、アミノプロピルジメチコン及びアモジメチコン等のアミノ変性シリコーン、カチオン変性シリコーン、ジメチコンコポリオール等のポリエーテル変性シリコーン、ポリグリセリン変性シリコーン、糖変性シリコーン、カルボン酸変性シリコーン、リン酸変性シリコーン、硫酸変性シリコーン、アルキル変性シリコーン、脂肪酸変性シリコーン、アルキルエーテル変性シリコーン、アミノ酸変性シリコーン、ペプチド変性シリコーン、フッ素変性シリコーン、カチオン変性及びポリエーテル変性シリコーン、アミノ変性及びポリエーテル変性シリコーン、アルキル変性及びポリエーテル変性シリコーン、アミドアルキル変性シリコーン、アミノグリコール変性シリコーン、アミノフェニル変性シリコーン、ポリシロキサン・オキシアルキレン共重合体等のシリコーン類；パーフルオロデカン、パーフルオロオクタン、パーフルオロポリエーテル等のフッ素系油剤類が、好ましいものとして挙げられる。
【００２５】
保湿剤・感触向上剤としては、グリセリン、１，３−ブチレングリコール、プロピレングリコール、３−メチル−１，３−ブタンジオール、１，３−プロパンジオール、２−メチル−１，３−プロパンジオール、トリメチロールプロパン、ペンタエリスリトール、ヘキシレングリコール、ジグリセリン、ポリグリセリン、ジエチレングリコール、ポリエチレングリコール、ジプロピレングリコール、ポリプロピレングリコール、エチレングリコール・プロピレングリコール共重合体等のポリオール類及びその重合体；ジエチレングリコールモノエチルエーテル（エトキシジグリコール）、エチレングリコールモノエチルエーテル、エチレングリコールモノブチルエーテル、ジエチレングリコールジブチルエーテル等のグリコールアルキルエーテル類；（エイコサン二酸／テトラデカン二酸）ポリグリセリル−１０、テトラデカン二酸ポリグリセリル−１０、シクロヘキサンジカルボン酸ビスエトキシジグリコール等の水溶性エステル類；ソルビトール、キシリトール、エリスリトール、マンニトール、マルチトール等の糖アルコール類；グルコース、フルクトース、ガラクトース、マンノース、トレオース、キシロース、アラビノース、フコース、リボース、デオキシリボース、マルトース、トレハロース、ラクトース、ラフィノース、グルコン酸、グルクロン酸、シクロデキストリン類（α−、β−、γ−シクロデキストリン、及び、マルトシル化、ヒドロキシアルキル化等の修飾シクロデキストリン）、β−グルカン、キチン、キトサン、ヘパリン及び誘導体、ペクチン、アラビノガラクタン、デキストリン、デキストラン、グリコーゲン、エチルグルコシド、メタクリル酸グルコシルエチル重合物若しくは共重合物等の糖類及びその誘導体類；ヒアルロン酸、ヒアルロン酸ナトリウム；コンドロイチン硫酸ナトリウム；ムコイチン硫酸、カロニン硫酸、ケラト硫酸、デルマタン硫酸；シロキクラゲ抽出物、シロキクラゲ多糖体；フコイダン；チューベロース多糖体、天然由来多糖体；クエン酸、酒石酸、乳酸等の有機酸及びその塩；尿素；２−ピロリドン−５−カルボン酸及びそのナトリウム等の塩；ベタイン（トリメチルグリシン）、プロリン、ヒドロキシプロリン、アルギニン、リジン、セリン、グリシン、アラニン、フェニルアラニン、チロシン、β−アラニン、スレオニン、グルタミン酸、グルタミン、アスパラギン、アスパラギン酸、システイン、シスチン、メチオニン、ロイシン、イソロイシン、バリン、トリプトファン、ヒスチジン、タウリン等のアミノ酸類及びその塩；コラーゲン、魚由来コラーゲン、アテロコラーゲン、ゼラチン、エラスチン、コラーゲン分解ペプチド、加水分解コラーゲン、塩化ヒドロキシプロピルアンモニウム加水分解コラーゲン、エラスチン分解ペプチド、ケラチン分解ペプチド、加水分解ケラチン、コンキオリン分解ペプチド、加水分解コンキオリン、シルク蛋白分解ペプチド、加水分解シルク、ラウロイル加水分解シルクナトリウム、大豆蛋白分解ペプチド、小麦蛋白分解ペプチド、加水分解小麦蛋白、カゼイン分解ペプチド、アシル化ペプチド等の蛋白ペプチド類及びその誘導体；パルミトイルオリゴペプチド、パルミトイルペンタペプチド、パルミトイルテトラペプチド等のア��ル化ペプチド類；シリル化ペプチド類；乳酸菌培養液、酵母抽出液、卵殻膜タンパク、牛顎下腺ムチン、ヒポタウリン、ゴマリグナン配糖体、グルタチオン、アルブミン、乳清；塩化コリン、ホスホリルコリン；胎盤抽出液、エアラスチン、コラーゲン、アロエ抽出物、ハマメリス水、ヘチマ水、カモミラエキス、カンゾウエキス、コンフリーエキス、シルクエキス、イザヨイバラエキス、セイヨウノコギリソウエキス、ユーカリエキス、メリロートエキス等の動物・植物抽出成分、天然型セラミド（タイプ１、２、３、４、５、６）、ヒドロキシセラミド、疑似セラミド、スフィンゴ糖脂質、セラミド及び糖セラミド含有エキス等のセラミド類が好ましいものとして挙げられる。
【００２６】
界面活性剤としては、陰イオン性界面活性剤、非イオン性界面活性剤、陽イオン性界面活性剤、両性界面活性剤、高分子界面活性剤等が好ましいものとして挙げられる。界面活性剤のＨＬＢには特に制限はなく、１程度の低いものから２０程度の高いものまで使用でき、ＨＬＢ低いものと高いものを組み合わせることも好ましい。界面活性剤として好ましいものを例示すると、陰イオン性界面活性剤では、ラウリン酸カリウム、ミリスチン酸カリウム等の脂肪酸塩；ラウリル硫酸ナトリウム、ラウリル硫酸トリエタノールアミン、ラウリル硫酸アンモニウム等のアルキル硫酸エステル塩；ラウレス硫酸ナトリウム、ラウレス硫酸トリエタノールアミン等のポリオキシエチレンアルキル硫酸塩；ココイルメチルタウリンナトリウム、ココイルメチルタウリンカリウム、ラウロイルメチルタウリンナトリウム、ミリストイルメチルタウリンナトリウム、ラウロイルメチルアラニンナトリウム、ラウロイルサルコシンナトリウム、ラウロイルサルコシントリエタノールアミン、ラウロイルグルタミン酸メチルアラニンナトリウム等のアシルＮ−メチルアミノ酸塩；ココイルグルタミン酸ナトリウム、ココイルグルタミン酸トリエタノールアミン、ラウロイルグルタミン酸ナトリウム、ミリストイルグルタミン酸ナトリウム、ステアロイルグルタミン酸ナトリウム、パルミトイルアスパラギン酸ジトリエタノールアミン、ココイルアラニントリエタノールアミン、ジラウロイルグルタミン酸リシンＮａ等のアシルアミノ酸塩；ラウレス酢酸ナトリウム等のポリオキシエチレンアルキルエーテル酢酸塩；ラウロイルモノエタノールアミドコハク酸ナトリウム等のコハク酸エステル塩；脂肪酸アルカノールアミドエーテルカルボン酸塩；アシル乳酸塩；ポリオキシエチレン脂肪アミン硫酸塩；脂肪酸アルカノールアミド硫酸塩；硬化ヤシ油脂肪酸グリセリン硫酸ナトリウム等の脂肪酸グリセリド硫酸塩；アルキルベンゼンポリオキシエチレン硫酸塩；α−オレフィンスルホン酸ナトリウム等のオレフィンスルホン酸塩；スルホコハク酸ラウリル２ナトリウム、スルホコハク酸ジオクチルナトリウム等のアルキルスルホコハク酸塩；スルホコハク酸ラウレス２ナトリウム、モノラウロイルモノエタノールアミドポリオキシエチレンスルホコハク酸ナトリウム、ラウリルポリプロピレングリコールスルホコハク酸ナトリウム等のアルキルエーテルスルホコハク酸塩；テトラデシルベンゼンスルホン酸ナトリウム、テトラデシルベンゼンスルホン酸トリエタノールアミン等のアルキルベンゼンスルホン酸塩；アルキルナフタレンスルホン酸塩；アルカンスルホン酸塩；α−スルホ脂肪酸メチルエステル塩；アシルイセチオン酸塩；アルキルグリシジルエーテルスルホン酸塩；アルキルスルホ酢酸塩；ラウレスリン酸ナトリウム、ジラウレスリン酸ナトリウム、トリラウレスリン酸ナトリウム、モノオレスリン酸ナトリウム等のアルキルエーテルリン酸エステル塩；ラウリルリン酸カリウム等のアルキルリン酸エステル塩；カゼインナトリウム；アルキルアリールエーテルリン酸塩；脂肪酸アミドエーテルリン酸塩；ホスファチジルグリセロール、ホスファチジルイノシトール、ホスファチジン酸等のリン脂質類；カルボン酸変性シリコーン、リン酸変性シ��コーン、硫酸変性シリコーン等のシリコーン系陰イオン性界面活性剤等；非イオン界面活性剤では、ラウレス（ポリオキシエチレンラウリルエーテル）類、セテス（ポリオキシエチレンセチルエーテル）類、ステアレス（ポリオキシエチレンステアリルエーテル）類、ベヘネス類（ポリオキシエチレンベヘニルエーテル）、イソステアレス（ポリオキシエチレンイソステアリルエーテル）類、オクチルドデセス（ポリオキシエチレンオクチルドデシルエーテル）類等の種々のポリオキシエチレン付加数のポリオキシエチレンアルキルエーテル類；ポリオキシエチレンアルキルフェニルエーテル；ポリオキシエチレン硬化ヒマシ油、ポリオキシエチレンヒマシ油、ポリオキシエチレン硬化ヒマシ油モノイソステアレート、ポリオキシエチレン硬化ヒマシ油トリイソステアレート、ポリオキシエチレン硬化ヒマシ油モノピログルタミン酸モノイソステアリン酸ジエステル、ポリオキシエチレン硬化ヒマシ油マレイン酸等のヒマシ油及び硬化ヒマシ油誘導体；ポリオキシエチレンフィトステロール；ポリオキシエチレンコレステロール；ポリオキシエチレンコレスタノール；ポリオキシエチレンラノリン；ポリオキシエチレン還元ラノリン；ポリオキシエチレン・ポリオキシプロピレンセチルエーテル、ポリオキシエチレン・ポリオキシプロピレン２−デシルテトラデシルエーテル、ポリオキシエチレン・ポリオキシプロピレンモノブチルエーテル、ポリオキシエチレン・ポリオキシプロピレン水添ラノリン、ポリオキシエチレン・ポリオキシプロピレングリセリンエーテル等のポリオキシエチレン・ポリオキシプロピレンアルキルエーテル；ポリオキシエチレン・ポリオキシプロピレングリコール；ＰＰＧ−９ジグリセリル等の（ポリ）グリセリンポリオキシプロピレングリコール；ステアリン酸グリセリル、イソステアリン酸グリセリル、パルミチン酸グリセリル、ミリスチン酸グリセリル、オレイン酸グリセリル、ヤシ油脂肪酸グリセリル、モノ綿実油脂肪酸グリセリン、モノエルカ酸グリセリン、セスキオレイン酸グリセリン、α，α’−オレイン酸ピログルタミン酸グリセリン、モノステアリン酸グリセリンリンゴ酸等のグリセリン脂肪酸部分エステル類；ステアリン酸ポリグリセリル−２、同３、同４、同５、同６、同８、同１０、ジステアリン酸ポリグリセリル−６、同１０、トリステアリン酸ポリグリセリル−２、デカステアリン酸ポリグリセリル−１０、イソステアリン酸ポリグリセリル−２、同３、同４、同５、同６、同８、同１０、ジイソステアリン酸ポリグリセリル−２（ジイソステアリン酸ジグリセリル）、同３、同１０、トリイソステアリン酸ポリグリセリル−２、テトライソステアリン酸ポリグリセリル−２、デカイソステアリン酸ポリグリセリル−１０、オレイン酸ポリグリセリル−２、同３、同４、同５、同６、同８、同１０、ジオレイン酸ポリグリセリル−６、トリオレイン酸ポリグリセリル−２、デカオレイン酸ポリグリセリル−１０等のポリグリセリン脂肪酸エステル；モノステアリン酸エチレングリコール等のエチレングリコールモノ脂肪酸エステル；モノステアリン酸プロピレングリコール等のプロピレングリコールモノ脂肪酸エステル；ペンタエリスリトール部分脂肪酸エステル；ソルビト���ル部分脂肪酸エステル；マルチトール部分脂肪酸エステル；マルチトールエーテル；ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等のソルビタン脂肪酸エステル；ショ糖脂肪酸エステル、メチルグルコシド脂肪酸エステル、ウンデシレン酸トレハロース等の糖誘導体部分エステル；カプリリルグルコシド等のアルキルグルコシド；アルキルポリグリコシド；ラノリンアルコール；還元ラノリン；ポリオキシエチレンジステアレート、ポリチレングリコールジイソステアレート、ポリオキシエチレンモノオレエート、ポリオキシエチレンジオレエート等のポリオキシエチレン脂肪酸モノ及びジエステル；ポリオキシエチレン・プロピレングリコール脂肪酸エステル；ポリオキシエチレングリセリンモノステアレート、ポリオキシエチレングリセリンモノイソステアレート、ポリオキシエチレングリセリントリイソステアレート等のポリオキシエチレンモノオレエート等のポリオキシエチレングリセリン脂肪酸エステル；ポリオキシエチレンソルビタンモノオレエート、ポリオキシエチレンソルビタンモノステアレート、ポリオキシエチレンソルビタンモノオレート、ポリオキシエチレンソルビタンテトラオレエート等のポリオキシエチレンソルビタン脂肪酸エステル；ポリオキシエチレンソルビトールモノラウレート、ポリオキシエチレンソルビトールモノオレエート、ポリオキシエチレンソルビトールペンタオレエート、ポリオキシエチレンソルビトールモノステアレート等のポリオキシエチレンソルビトール脂肪酸エステル；ポリオキシエチレンメチルグルコシド脂肪酸エステル；ポリオキシエチレンアルキルエーテル脂肪酸エステル；ポリオキシエチレンソルビトールミツロウ等のポリオキシエチレン動植物油脂類；イソステアリルグリセリルエーテル、キミルアルコール、セラキルアルコール、バチルアルコール等のアルキルグリセリルエーテル類；多価アルコールアルキルエーテル；ポリオキシエチレンアルキルアミン；テトラポリオキシエチレン・テトラポリオキシプロピレン−エチレンジアミン縮合物類；サポニン、ソホロリピッド等の天然系界面活性剤；ポリオキシエチレン脂肪酸アミド；ヤシ油脂肪酸モノエタノールアミド（コカミドＭＥＡ）、ヤシ油脂肪酸ジエタノールアミド（コカミドＤＥＡ）、ラウリン酸モノエタノールアミド（ラウラミドＭＥＡ）、ラウリン酸ジエタノールアミド（ラウラミドＤＥＡ）、ラウリン酸モノイソプロパノールアミド（ラウラミドＭＩＰＡ）、パルミチン酸モノエタノールアミド（パルタミドＭＥＡ）、パルミチン酸ジエタノールアミド（パルタミドＤＥＡ）、ヤシ油脂肪酸メチルエタノールアミド（コカミドメチルＭＥＡ）等の脂肪酸アルカノールアミド類；ラウラミンオキシド、コカミンオキシド、ステアラミンオキシド、ベヘナミンオキシド等のアルキルジメチルアミンオキシド；アルキルエトキシジメチルアミンオキシド；ポリオキシエチレンアルキルメルカプタン；ジメチコン���ポリオール等のポリエーテル変性シリコーン、ポリシロキサン・オキシアルキレン共重合体、ポリグリセリン変性シリコーン、糖変性シリコーン等のシリコーン系非イオン性界面活性剤等；陽イオン性界面活性剤では、ベヘントリモニウムクロリド、ステアルトリモニウムクロリド、セトリモニウムクロリド、ラウリルトリモニウムクロリド等のアルキルトリメチルアンモニウムクロリド；ステアリルトリモニウムブロミド等のアルキルトリメチルアンモニウムブロミド；ジステアリルジモニウムクロリド、ジココジモニウムクロリド等のジアルキルジメチルアンモニウムクロリド；ステアラミドプロピルジメチルアミン、ステアラミドエチルジエチルアミン等の脂肪酸アミドアミン及びその塩；ステアロキシプロピルジメチルアミン等のアルキルエーテルアミン及びその塩または四級塩；エチル硫酸長鎖分岐脂肪酸（１２〜３１）アミノプロピルエチルジメチルアンモニウム、エチル硫酸ラノリン脂肪酸アミノプロピルエチルジメチルアンモニウム等の脂肪酸アミド型四級アンモニウム塩；ポリオキシエチレンアルキルアミン及びその塩または四級塩；アルキルアミン塩；脂肪酸アミドグアニジウム塩；アルキルエーテルアミンモニウム塩；アルキルトリアルキレングリコールアンモニウム塩；ベンザルコニウム塩；ベンゼトニウム塩；塩化セチルピリジニウム等のピリジニウム塩；イミダゾリニウム塩；アルキルイソキノリニウム塩；ジアルキルモリホニウム塩；ポリアミン脂肪酸誘導体；アミノプロピルジメチコン及びアモジメチコン等のアミノ変性シリコーン、カチオン変性シリコーン、カチオン変性及びポリエーテル変性シリコーン、アミノ変性及びポリエーテル変性シリコーン等のシリコーン系陽イオン性界面活性剤等；両性界面活性剤では、ラウリルベタイン（ラウリルジメチルアミノ酢酸ベタイン）等のＮ−アルキル−Ｎ，Ｎ−ジメチルアミノ酸ベタイン；コカミドプロピルベタイン、ラウラミドプロピルベタイン等の脂肪酸アミドアルキル−Ｎ，Ｎ−ジメチルアミノ酸ベタイン；ココアンホ酢酸ナトリウム、ラウロアンホ酢酸ナトリウム等のイミダゾリン型ベタイン；アルキルジメチルタウリン等のアルキルスルホベタイン；アルキルジメチルアミノエタノール硫酸エステル等の硫酸型ベタイン；アルキルジメチルアミノエタノールリン酸エステル等のリン酸型ベタイン；ホスファチジルコリン、ホスファチジルエタノールアミン、ホスファチジルセリン
、スフィンゴミエリン等のスフィンゴリン脂質、リゾレシチン、水素添加大豆リン脂質、部分水素添加大豆リン脂質、水素添加卵黄リン脂質、部分水素添加卵黄リン脂質、水酸化レシチン等のリン脂質類；シリコーン系両性界面活性剤等；高分子界面活性剤では、ポリビニルアルコール、アルギン酸ナトリウム、デンプン誘導体、トラガントガム、アクリル酸・メタアクリル酸アルキル共重合体；シリコーン系各種界面活性剤が好ましいものとして挙げられる。
【００２７】
高分子・増粘剤・ゲル化剤としては、グアーガム、ローカストビーンガム、クィーンスシード、カラギーナン、ガラクタン、アラビアガム、タラガム、タマリンド、ファーセレラン、カラヤガム、トロロアオイ、キャラガム、トラガントガム、ペクチン、ペクチン酸及びナトリウム塩等の塩、アルギン酸及びナトリウム塩等の塩、マンナン；コメ、トウモロコシ、バレイショ、コムギ等のデンプン；キサンタンガム、デキストラン、サクシノグルカン、カードラン、ヒアルロン酸及びその塩、ザンサンガム、プルラン、ジェランガム、キチン、キトサン、寒天、カッソウエキス、コンドロイチン硫酸塩、カゼイン、コラーゲン、ゼラチン、アルブミン；メチルセルロース、エチルセルロース、ヒドロキシエチルセルロース、ヒドロキシプロピルセルロース、カルボキシメチルセルロース及びそのナトリウム等の塩、メチルヒドロキシプロピルセルロース、セルロース硫酸ナトリウム、ジアルキルジメチルアンモニウム硫酸セルロース、結晶セルロース、セルロース末等のセルロース及びその誘導体；可溶性デンプン、カルボキシメチルデンプン、メチルヒドロキシプロピルデンプン、メチルデンプン等のデンプン系高分子、塩化ヒドロキシプロピルトリモニウムデンプン、オクテニルコハク酸トウモロコシデンプンアルミニウム等のデンプン誘導体；アルギン酸ナトリウム、アルギン酸プロピレングリコールエステル等アルギン酸誘導体；ポリビニルピドリドン（ＰＶＰ）、ポリビニルアルコール（ＰＶＡ）、ビニルピドリドン・ビニルアルコール共重合体、ポリビニルメチルエーテル；ポリエチレングリコール、ポリプロピレングリコール、ポリオキシエチレン・ポリオキシプロピレン共重合体；（メタクリロイルオキシエチルカルボキシベタイン／メタクリル酸アルキル）コポリマー、（アクリレーツ／アクリル酸ステアリル／メタクリル酸エチルアミンオキシド）コポリマー等の両性メタクリル酸エステル共重合体；（ジメチコン／ビニルジメチコン）クロスポリマー、（アクリル酸アルキル／ジアセトンアクリルアミド）コポリマー、（アクリル酸アルキル／ジアセトンアクリルアミド）コポリマーＡＭＰ；ポリ酢酸ビニル部分けん化物、マレイン酸共重合体；ビニルピロリドン・メタクリル酸ジアルキルアミノアルキル共重合体；アクリル樹脂アルカノールアミン；ポリエステル、水分散性ポリエステル；ポリアクリルアミド；ポリアクリル酸エチル等のポリアクリル酸エステル共重合体、カルボキシビニルポリマー、ポリアクリル酸及びそのナトリウム塩等の塩、アクリル酸・メタアクリル酸エステル共重合体；アクリル酸・メタアクリル酸アルキル共重合体；ポリクオタニウム−１０等のカチオン化セルロース、ポリクオタニウム−７等のジアリルジメチルアンモニウムクロリド・アクリルアミド共重合体、ポリクオタニウム−２２等のアクリル酸・ジアリルジメチルアンモニウムクロリド共重合体、ポリクオタニウム−３９等のアクリル酸・ジアリルジメチルアンモニウムクロリド・アクリルアミド共重合体、アクリル酸・カチオン化メタアクリル酸エステル共重合体、アクリル酸・カチオン化メタアクリル酸アミド共重合体、ポリクオタニウム−４７等のアクリル酸・アクリル酸メチル・塩化メタクリルアミドプロピルトリメチルアンモニウム共重合体、塩化メタクリル酸コリンエステル重合体；カチオン化オリゴ糖、カチオン化デキストラン、グアーヒドロキシプロピルトリモニウムクロリド等のカチオン化多糖類；ポリエチレンイミン；カチオンポリマー；ポリクオタニウム−５１等の２−メタクリロイルオキシエチルホスホリルコリンの重合体及びメタクリル酸ブチル共重合体等との共重合体；アクリル樹脂エマルジョン、ポリアクリル酸エチルエマルジョン、ポリアクリルアルキルエステルエマルジョン、ポリ酢酸ビニル樹脂エマルジョン、天然ゴムラテックス、合成ラテックス等の高分子エマルジョン；ニトロセルロース；ポリウレタン類及び各種共重合体；各種シリコーン類；アクリル−シリコーングラフト共重合体等のシリコーン系各種共重合体；各種フッ素系高分子；１２−ヒドロキシステアリン酸及びその塩；パルミチン酸デキストリン、ミリスチン酸デキストリン等のデキストリン脂肪酸エステル；無水ケイ酸、煙霧状シリカ（超微粒子無水ケイ酸）、ケイ酸アルミニウムマグネシウム、ケイ酸ナトリウムマグネシウム、金属石鹸、ジアルキルリン酸金属塩、ベントナイト、ヘクトライト、有機変性粘土鉱物、ショ糖脂肪酸エステル、フラクトオリゴ糖脂肪酸エステルが好ましいものとして挙げられる。
【００２８】
溶剤・噴射剤類としては、エタノール、２−プロパノール（イソプロピルアルコール）、ブタノール、イソブチルアルコール等の低級アルコール類；プロピレングリコール、１，３−ブチレングリコール、ジエチレングリコール、ジプロピレングリコール、イソペンチルジオール等のグリコール類；ジエチレングリコールモノエチルエーテル（エトキシジグリコール）、エチレングリコールモノエチルエーテル、エチレングリコールモノブチルエーテル、トリエチレングリコールモノエチルエーテル、ジエチレングリコールジエチルエーテル、ジエチレングリコールジブチルエーテル、プロピレングリコールモノエチルエーテル、ジプロピレングリコールモノエチルエーテル等のグリコールエーテル類；エチレングリコールモノエチルエーテルアセテート、ジエチレングリコールモノエチルエーテルアセテート、プロピレングリコールモノエチルエーテルアセテート等のグリコールエーテルエステル類；コハク酸ジエトキシエチル、エチレングリコールジサクシネート等のグリコールエステル類；ベンジルアルコール、ベンジルオキシエタノール、炭酸プロピレン、炭酸ジアルキル、アセトン、酢酸エチル、Ｎ−メチルピロリドン；トルエン；フルオロカーボン、次世代フロン；ＬＰＧ、ジメチルエーテル、炭酸ガス等の噴射剤が好ましいものとして挙げられる。
【００２９】
酸化防止剤としては、トコフェロール（ビタミンＥ）、酢酸トコフェロール等のトコフェロール誘導体；ＢＨＴ、ＢＨＡ；没食子酸プロピル等の没食子酸誘導体；ビタミンＣ（アスコルビン酸）および／またはその誘導体；エリソルビン酸及びその誘導体；亜硫酸ナトリウム等の亜硫酸塩；亜硫酸水素ナトリウム等の亜硫酸水素塩；チオ硫酸ナトリウム等のチオ硫酸塩；メタ亜硫酸水素塩；チオタウリン、ヒポタウリン；チオグリセロール、チオ尿素、チオグリコール酸、システイン塩酸塩が好ましいものとして挙げられる。還元剤としては、チオグリコール酸、システイン、システアミン等が好ましいものとして挙げられる。酸化剤としては、過酸化水素水、過硫酸アンモニウム、臭素酸ナトリウム、過炭酸等が好ましいものとして挙げられる。
【００３０】
抗菌剤又は防腐剤としては、メチルパラベン、エチルパラベン、プロピルパラベン、ブチルパラベン等のパラベン（ヒドロキシ安息香酸エステル）類；フェノキシエタノール；１，２−ペンタンジオール、１，２−ヘキサンジオール、１，２−オクタンジオール等の１，２−アルカンジオール類；２−エチルヘキシルグリセリルエーテル（エチルヘキシルグリセリン）等のアルキルグリセリルエーテル類；サリチル酸；安息香酸ナトリウム；メチルクロロイソチアゾリノン、メチルイソチアゾリノン等のイソチアゾリンオン誘導体；イミダゾリニウムウレア；デヒドロ酢酸及びその塩；フェノール類；トリクロサン等のハロゲン化ビスフェノール類、酸アミド類、四級アンモニウム塩類；トリクロロカルバニド、ジンクピリチオン、塩化ベンザルコニウム、塩化ベンゼトニウム、ソルビン酸、クロルヘキシジン、グルコン酸クロルヘキシジン、ハロカルバン、ヘキサクロロフェン、ヒノキチオール；フェノール、イソプロピルフェノール、クレゾール、チモール、パラクロロフェノール、フェニルフェノール、フェニルフェノールナトリウム等のその他フェノール類；フェニルエチルアルコール、感光素類、抗菌性ゼオライト、銀イオンが好ましいものとして挙げられるが、防腐を目的とした抗菌剤又は防腐剤として用いる場合は、化粧料又は皮膚外用剤の安全性の観点から、フェノキシエタノール；１，２−ペンタンジオール、１，２−ヘキサンジオール、１，２−オクタンジオール等の１，２−アルカンジオール類；２−エチルヘキシルグリセリルエーテル等のアルキルグリセリルエーテル類を用いることが、より好ましい。
【００３１】
キレート剤としては、ＥＤＴＡ、ＥＤＴＡ２Ｎａ、ＥＤＴＡ３Ｎａ、ＥＤＴＡ４Ｎａ等のエデト酸塩（エチレンジアミン四酢酸塩）；ＨＥＤＴＡ３Ｎａ等のヒドロキシエチルエチレンジアミン三酢酸塩；ペンテト酸塩（ジエチレントリアミン五酢酸塩）；フィチン酸；エチドロン酸等のホスホン酸及びそのナトリウム塩等の塩類；シュウ酸ナトリウム；ポリアスパラギン酸、ポリグルタミン酸等のポリポリアミノ酸類；ポリリン酸ナトリウム、メタリン酸ナトリウム、リン酸；クエン酸ナトリウム、クエン酸、アラニン、ジヒドロキシエチルグリシン、グルコン酸、アスコルビン酸、コハク酸、酒石酸が好ましいものとして挙げられる。ｐＨ調整剤・酸・アルカリとしては、クエン酸、クエン酸ナトリウム、乳酸、乳酸ナトリウム、グリコール酸、コハク酸、酢酸、酢酸ナトリウム、リンゴ酸、酒石酸、フマル酸、リン酸、塩酸、硫酸、モノエタノールアミン、ジエタノールアミン、トリエタノールアミン、イソプロパノールアミン、トリイソプロパノールアミン、２−アミノ−２−メチル−１，３ープロパンジオール、２−アミノ−２−ヒドロキシメチル−１，３ープロパンジオール、アルギニン、水酸化ナトリウム、水酸化カリウム、アンモニア水、炭酸グアニジン、炭酸アンモニウムが好ましいものとして挙げられる。
【００３２】
粉体類としては、マイカ、タルク、カオリン、セリサイト、モンモリロナイト、カオリナイト、雲母、白雲母、金雲母、合成雲母、紅雲母、黒雲母、パーミキュライト、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、ゼオライト、硫酸バリウム、焼成硫酸カルシウム、リン酸カルシウム、弗素アパタイト、ヒドロキシアパタイト、セラミックパウダー、ベントナイト、スメクタイト、粘土、泥、金属石鹸(例えば、ミリスチン酸亜鉛、パルミチン酸カルシウム、ステアリン酸アルミニウム)、炭酸カルシウム、ベンガラ、黄酸化鉄、黒酸化鉄、群青、紺青、カーボンブラック、酸化チタン、微粒子及び超微粒子酸化チタン、酸化亜鉛、微粒子及び超微粒子酸化亜鉛、アルミナ、シリカ、煙霧状シリカ（超微粒子無水ケイ酸）、雲母チタン、魚鱗箔、窒化ホウ素、ホトクロミック顔料、合成フッ素金雲母、微粒子複合粉体、金、アルミニウム等の各種の大きさ・形状の無機粉体、及び、これらをハイドロジェンシリコーン、環状ハイドロジェンシリコーン等のシリコーン若しくはその他のシラン若しくはチタンカップリング剤等の各種表面処理剤で処理を行って疎水化若しくは親水化した粉体等の無機粉体；デンプン、セルロース、ナイロンパウダー、ポリエチレン末、ポリメタクリル酸メチル末、ポリスチレン末、スチレンとアクリル酸の共重合体樹脂粉末、ポリエステル末、ベンゾグアナミン樹脂粉末、ポリエチレンテレフタレート・ポリメチルメタクリレート積層末、ポリエチレンテレフタレート・アルミニウム・エポキシ積層末等、ウレタン粉末、シリコーン粉末、テフロン（登録商標）粉末等の各種の大きさ・形状の有機系粉体及び表面処理粉体、有機無機複合粉体が好ましいものとして挙げられる。無機塩類としては、食塩、並塩、岩塩、海塩、天然塩等の塩化ナトリウム含有塩類；塩化カリウム、塩化アルミニウム、塩化カルシウム、塩化マグネシウム、にがり、塩化亜鉛、塩化アンモニウム；硫酸ナトリウム、硫酸アルミニウム、硫酸アルミニウム・カリウム（ミョウバン）、硫酸アルミニウム・アンモニウム、硫酸バリウム、硫酸カルシウム、硫酸カリウム、硫酸マグネシウム、硫酸亜鉛、硫酸鉄、硫酸銅；リン酸１Ｎａ・２Ｎａ・３Ｎａ等のリン酸ナトリウム類、リン酸カリウム類、リン酸カルシウム類、リン酸マグネシウム類が好ましいものとして挙げられる。
【００３３】
紫外線吸収剤としては、パラアミノ安息香酸、パラアミノ安息香酸モノグリセリンエステル、Ｎ，Ｎ−ジプロポキシパラアミノ安息香酸エチルエステル、Ｎ，Ｎ−ジエトキシパラアミノ安息香酸エチルエステル、Ｎ，Ｎ−ジメチルパラアミノ安息香酸エチルエステル、Ｎ，Ｎ−ジメチルパラアミノ安息香酸ブチルエステル、Ｎ，Ｎ−ジメチルパラアミノ安息香酸エチルエステル等の安息香酸系紫外線吸収剤；ホモメンチル−Ｎ−アセチルアントラニレート等のアントラニル酸系紫外線吸収剤；サリチル酸及びそのナトリウム塩、アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線吸収剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、２−エチルヘキシルｐ−メトキシシンナメート（パラメトキシケイヒ酸オクチル）、２−エトキシエチル−ｐ−メトキシシンナメート（シノキサート）、シクロヘキシル-ｐ-メトキシシンナメート、エチル−α−シアノ−β−フェニルシンナメート、２−エチルヘキシルα−シアノ−β−フェニルシンナメート（オクトクリン）、グリセリルモノ−２−エチルヘキサノイル−ジパラメトキシシンナメート、フェルラ酸及びその誘導体等の桂皮酸系紫外線吸収剤；２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン（オキシベンゾン−３）、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線吸収剤；３−（４’−メチルベンジリデン）−ｄ，ｌ−カンファー、３−ベンジリデン−ｄ，ｌ−カンファー；２−フェニル−５−メチルベンゾキサゾール；２，２’−ヒドロキシ−５−メチルフェニルベンゾトリアゾール；２−（２’−ヒドロキシ−５’−ｔ−オクチルフェニル）ベンゾトリアゾール；２−（２’−ヒドロキシ−５’−メチルフェニルベンゾトリアゾール；ジベンザラジン；ジアニソイルメタン；５−（３，３−ジメチル−２−ノルボルニリデン）−３−ペンタン−２−オン；４−ｔ−ブチルメトキシジベンゾイルメタン等のジベンゾイルメタン誘導体；オクチルトリアゾン；ウロカニン酸及びウロカニン酸エチル等のウロカニン酸誘導体；２−（２'−ヒドロキシ−５'−メチルフェニル）ベンゾトリアゾール、１−（３，４−ジメトキシフェニル）−４，４−ジメチル−１，３−ペンタンジオン、ジメトキシベンジリデンジオキソイミダゾリジンプロピオン酸２−エチルヘキシル等のヒダントイン誘導体、フェニルベンズイミダソゾールスルホン酸、テレフタリリデンジカンフルスルホン酸、ドロメトリゾールトリシロキサン、アントラニル酸メチル、ルチン及びその誘導体、オリザノール及びその誘導体が好ましいものとして挙げられる。
【００３４】
美白剤としては、アルブチン、α−アルブチン等のヒドロキノン配糖体及びそのエステル類；アスコルビン酸、アスコルビン酸リン酸エステルナトリウム塩及びアスコルビン酸リン酸エステルマグネシウム塩等のアスコルビン酸リン酸エステル塩、アスコルビン酸テトライソパルミチン酸エステル等のアスコルビン酸脂肪酸エステル、アスコルビン酸エチルエーテル等のアスコルビン酸アルキルエーテル、アスコルビン酸−２−グルコシド等のアスコルビン酸グルコシドおよびその脂肪酸エステル類、アスコルビン酸硫酸エステル、リン酸トコフェリルアスコルビル等のアスコルビン酸誘導体；コウジ酸、エラグ酸、トラネキサム酸及びその誘導体、フェルラ酸及びその誘導体、プラセンタエキス、グルタチオン、オリザノール、ブチルレゾルシノール、油溶性カモミラエキス、油溶性カンゾウエキス、西河柳エキス、ユキノシタエキス等植物エキスが好ましいものとして挙げられる。
【００３５】
ビタミン類及びその誘導体類としては、レチノール、酢酸レチノール、パルミチン酸レチノール等のビタミンＡ類；チアミン塩酸塩、チアミン硫酸塩、リボフラビン、酢酸リボフラビン、塩酸ピリドキシン、ピリドキシンジオクタノエート、ピリドキシンジパルミテート、フラビンアデニンジヌクレオチド、シアノコバラミン、葉酸類、ニコチン酸アミド・ニコチン酸ベンジル等のニコチン酸類、コリン類等のビタミンＢ群類；アスコルビン酸及びそのナトリウム等の塩等のビタミンＣ類；ビタミンＤ；α、β、γ、δ−トコフェロール等のビタミンＥ類；パントテン酸、ビオチン等のその他ビタミン類；アスコルビン酸リン酸エステルナトリウム塩及びアスコルビン酸リン酸エステルマグネシウム塩等のアスコルビン酸リン酸エステル塩、アスコルビン酸テトライソパルミチン酸エステル・ステアリン酸アスコルビル・パルミチン酸アスコルビル・ジパルミチン酸アスコルビル等のアスコルビン酸脂肪酸エステル、アスコルビン酸エチルエーテル等のアスコルビン酸アルキルエーテル、アスコルビン酸−２−グルコシド等のアスコルビン酸グルコシド及びその脂肪酸エステル、リン酸トコフェリルアスコルビル等のアスコルビン酸誘導体；ニコチン酸トコフェロール、酢酸トコフェロール、リノール酸トコフェロール、フェルラ酸トコフェロール、トコフェロールリン酸エステル等のトコフェロール誘導体等のビタミン誘導体、トコトリエノール、その他各種ビタミン誘導体類が好ましいものとして挙げられる。
【００３６】
消炎剤・抗炎症剤としては、グリチルリチン酸及びその誘導体、グリチルレチン酸誘導体、サリチル酸誘導体、ヒノキチオール、グアイアズレン、アラントイン、インドメタシン、酸化亜鉛、酢酸ヒドロコーチゾン、プレドニゾン、塩酸ジフェドラミン、マレイン酸クロルフェニラミン；桃葉エキス、蓬葉エキス等の植物エキスが好ましいものとして挙げられる。育毛用薬剤・血行促進剤・刺激剤としては、センブリエキス、トウガラシチンキ、ショウキョウチンキ、ショウキョウエキス、カンタリスチンキ等の植物エキス・チンキ類；カプサイシン、ノニル酸ワレニルアミド、ジンゲロン、イクタモール、タンニン酸、ボルネオール、シクランデレート、シンナリジン、トラゾリン、アセチルコリン、ベラパミル、セファランチン、γ−オリザノール、セファランチン、ビタミンＥ及びニコチン酸トコフェロール・酢酸トコフェロール等の誘導体、γ−オリザノール、ニコチン酸及びニコチン酸アミド・ニコチン酸ベンジルエステル・イノシトールヘキサニコチネート、ニコチンアルコール等の誘導体、アラントイン、感光素３０１、感光素４０１、塩化カプロニウム、ペンタデカン酸モノグリセリド、フラバノノール誘導体、スチグマステロール又はスチグマスタノール及びその配糖体、ミノキシジルが好ましいものとして挙げられる。ホルモン類としては、エストラジオール、エストロン、エチニルエストラジオール、コルチゾン、ヒドロコルチゾン、プレドニゾン等が好ましいものとして挙げられる。抗しわ剤、抗老化剤、ひきしめ剤、冷感剤、温感剤、創傷治癒促進剤、刺激緩和剤、鎮痛剤、細胞賦活剤等のその他の薬効剤としては、レチノール類、レチノイン酸類、レチノイン酸トコフェリル；乳酸、グリコール酸、グルコン酸、フルーツ酸、サリチル酸及びその配糖体・エステル化物等の誘導体、ヒドロキシカプリン酸、長鎖α−ヒドロキシ脂肪酸、長鎖α−ヒドロキシ脂肪酸コレステリル等のα−又はβ−ヒドロキシ酸類及びその誘導体類；γ−アミノ酪酸、γ−アミノ−β−ヒドロキシ酪酸；カルニチン；カルノシン；クレアチン；セラミド類、スフィンゴシン類；カフェイン、キサンチン等及びその誘導体；コエンザイムＱ１０、カロチン、リコピン、アスタキサンチン、ルテイン、α−リポ酸、白金ナノコロイド、フラーレン類等の抗酸化・活性酸素消去剤；カテキン類；ケルセチン等のフラボン類；イソフラボン類；没食子酸及びエステル糖誘導体；タンニン、セサミン、プロトアントシアニジン、クロロゲン酸、リンゴポリフェノール等のポリフェノール類；ルチン及び配糖体等の誘導体；ヘスペリジン及び配糖体等の誘導体；リグナン配糖体；グラブリジン、グラブレン、リクイリチン、イソリクイリチン等のカンゾウエキス関連物質；ラクトフェリン；ショウガオール、ジンゲロール；メントール、カンファー、セドロール等の香料物質及びその誘導体；カプサイシン、バニリン等及び誘導体；ジエチルトルアミド等の昆虫忌避剤；生理活性物質とシクロデキストリン類との複合体が好ましいものとして挙げられる。
【００３７】
植物・動物・微生物エキス類としては、アイリスエキス、アシタバエキス、アスナロエキス、アスパラガスエキス、アボガドエキス、アマチャエキス、アーモンドエキス、アルテアエキス、アルニカエキス、アロエエキス、アンズエキス、アンズ核エキス、イチョウエキス、インチコウエキス、ウイキョウエキス、ウコンエキス、ウーロン茶エキス、ウワウルシエキス、エイジツエキス、エチナシ葉エキス、エンメイソウエキス、オウゴンエキス、オウバクエキス、オウレンエキス、オオムギエキス、オタネニンジンエキス、オトギリソウエキス、オドリコソウエキス、オノニスエキス、オランダカラシエキス、オレンジエキス、海水乾燥物、海藻エキス、カキ葉エキス、カキョクエキス、加水分解エラスチン、加水分解コムギ末、加水分解シルク、カッコンエキス、カモミラエキス、油溶性カモミラエキス、カロットエキス、カワラヨモギエキス、カラスムギエキス、カルカデエキス、カンゾウエキス、油溶性カンゾウエキス、キウイエキス、キオウエキス、キクラゲエキス、キナエキス、キューカンバーエキス、キリ葉エキス、グアノシン、グアバエキス、クジンエキス、クチナシエキス、クマザサエキス、クララエキス、クルミエキス、クリエキス、グレープフルーツエキス、クレマティスエキス、黒米エキス、黒砂糖抽出物、黒酢、クロレラエキス、クワエキス、ゲンチアナエキス、ゲンノショウコエキス、紅茶エキス、酵母エキス、コウボクエキス、コーヒーエキス、ゴボウエキス、コメエキス、コメ発酵エキス、コメヌカ発酵エキス、コメ胚芽油、コンフリーエキス、コラーゲン、コケモモエキス、サイシンエキス、サイコエキス、サイタイ抽出液、サフランエキス、サルビアエキス、サボンソウエキス、ササエキス、サンザシエキス、サンシャエキス、サンショウエキス、シイタケエキス、ジオウエキス、シコンエキス、シソエキス、シナノキエキス、シモツケソウエキス、ジャトバエキス、シャクヤクエキス、ショウキュウエキス、ショウブ根エキス、シラカバエキス、白キクラゲエキス、スギナエキス、ステビアエキス、ステビア発酵物、西河柳エキス、セイヨウキズタエキス、セイヨウサンザシエキス、セイヨウニワトコエキス、セイヨウノコギリソウエキス、セイヨウハッカエキス、セージエキス、ゼニアオイエキス、センキュウエキス、センブリエキス、ソウハクヒエキス、ダイオウエキス、ダイズエキス、タイソウエキス、タイムエキス、タンポポエキス、地衣類エキス、茶エキス、チョウジエキス、チガヤエキス、チンピエキス、ティートリー油、甜茶エキス、トウガラシエキス、トウキエキス、トウキンセンカエキス、トウニンエキス、トウヒエキス、ドクダミエキス、トマトエキス、納豆エキス、ニンジンエキス、ニンニクエキス、ノバラエキス、ハイビスカスエキス、バクモンドウエキス、ハスエキス、パセリエキス、バーチエキス、蜂蜜、ハマメリスエキス、パリエタリアエキス、ヒキオコシエキス、ビサボロール、ヒノキエキス、ビフィズス菌エキス、ビワエキス、フキタンポポエキス、フキノトウエキス、ブクリョウエキス、ブッチャーブルームエキス、ブドウエキス、ブドウ種子エキス、プロポリス、ヘチマエキス、ベニバナエキス、ペパーミントエキス、ボダイジュエキス、ボタンエキス、ホップエキス、マイカイカエキス、マツエキス、マロニエエキス、ミズバショウエキス、ムクロジエキス、メリッサエキス、モズクエキス、モモエキス、ヤグルマギクエキス、ユーカリエキス、ユキノシタエキス、ユズエキス、ユリエキス、ヨクイニンエキス、ヨモギエキス、ラベンダーエキス、緑茶エキス、卵殻膜エキス、リンゴエキス、ルイボス茶エキス、レイシエキス、レタスエキス、レモンエキス、レンギョウエキス、レンゲソウエキス、ローズエキス、ローズマリーエキス、ローマカミツレエキス、ローヤルゼリーエキス、ワレモコウエキス等のエキスが好ましいものとして挙げられる。
【００３８】
鎮痒剤としては、塩酸ジフェンヒドラミン、マレイン酸クロルフェニラミン、カンファー、サブスタンス−Ｐ阻害剤等を例示することができる。角質剥離・溶解剤としては、サリチル酸、イオウ、レゾルシン、硫化セレン、ピリドキシン等を例示することができる。制汗剤としては、クロルヒドロキシアルミニウム、塩化アルミニウム、酸化亜鉛、パラフェノールスルホン酸亜鉛等を例示することができる。清涼剤としては、メントール、サリチル酸メチル等を例示することができる。収れん剤としては、クエン酸、酒石酸、乳酸、硫酸アルミニウム・カリウム、タンニン酸等を例示することができる。酵素類としては、スーパーオキサイドディスムターゼ、カタラーゼ、塩化リゾチーム、リパーゼ、パパイン、パンクレアチン、プロテアーゼ等を例示することができる。核酸類としては、リボ核酸及びその塩、デオキシリボ核酸及びその塩、アデノシン三リン酸二ナトリウムが好ましいものとして挙げられる。
【００３９】
香料としては、アセチルセドレン、アミルシンナムアルデヒド、アリルアミルグリコレート、β−イオノン、イソイースーパー、イソブチルキノリン、イリス油、イロン、インドール、イランイラン油、ウンデカナール、ウンデセナール、γ−ウンデカラクトン、エストラゴール、オイゲノール、オークモス、オポポナックスレジノイド、オレンジ油、オイゲノール、オーランチオール、ガラクソリッド、カルバクロール、Ｌ−カルボン、カンファー、キャノン、キャロットシード油、クローブ油、ケイヒ酸メチル、ゲラニオール、ゲラニルニトリル、酢酸イソボルニル、酢酸ゲラニル、酢酸ジメチルベンジルカルビニル、酢酸スチラリル、酢酸セドリル、酢酸テレピネル、酢酸p-t-ブチルシクロヘキシル、酢酸ベチベリル、酢酸ベンジル、酢酸リナリル、サリチル酸イソペンチル、サリチル酸ベンジル、サンダルウッド油、サンタロール、シクラメンアルデヒド、シクロペンタデカノリド、ジヒドロジャスモン酸メチル、ジヒドロミルセノール、ジャスミンアブソリュート、ジャスミンラクトン、cis-ジャスモン、シトラール、シトロネノール、シトロネラール、シナモンバーク油、１，８−シネオール、シンナムアルデヒド、スチラックスレジノイド、セダーウッド油、セドレン、セドロール、セロリシード油、タイム油、ダマスコン、ダマセノン、チモール、チュベローズアブソリュート、デカナール、デカラクトン、テルピネオール、γ−テルピネン、トリプラール、ネロール、ノナナール、２，６−ノナジエノール、ノナラクトン、パチョリアルコール、バニラアブソリュート、バニリン、バジル油、パチョリ油、ヒドロキシシトロネラール、α−ピネン、ピペリトン、フェネチルアルコール、フェニルアセトアルデヒド、プチグレン油、ヘキシルシンナムアルデヒド、cis-3-ヘキセノール、ペルーバルサム、ベチバー油、ベチベロール、ペパーミント油、ペパー油、ヘリオトロピン、ベルガモット油、ベンジルベンゾエート、ボルネオール、ミルレジノイド、ムスクケトン、メチルノニルアセトアルデヒド、γ−メチルヨノン、メントール、Ｌ−メントール、Ｌ−メントン、ユーカリ油、β−ヨノン、ライム油、ラベンダー油、Ｄ−リモネン、リナロール、リラール、リリアール、レモン油、ローズアブソリュート、ローズオキシド、ローズ油、ローズマリー油、各種精油等の合成香料及び天然香料並びに各種調合香料が好ましいものとして挙げられる。
【００４０】
色素・着色剤・染料・顔料としては、褐色２０１号、黒色４０１号、紫色２０１号、紫色４０１号、青色１号、青色２号、青色２０１号、青色２０２号、青色２０３号、青色２０４号、青色２０５号、青色４０３号、青色４０４号、緑色２０１号、緑色２０２号、緑色２０４号、緑色２０５号、緑色３号、緑色４０１号、緑色４０２号、赤色１０２号、赤色１０４−１号、赤色１０５−１号、赤色１０６号、赤色２号、赤色２０１号、赤色２０２号、赤色２０３号、赤色２０４号、赤色２０５号、赤色２０６号、赤色２０７号、赤色２０８号、赤色２１３号、赤色２１４号、赤色２１５号、赤色２１８号、赤色２１９号、赤色２２０号、赤色２２１号、赤色２２３号、赤色２２５号、赤色２２６号、赤色２２７号、赤色２２８号、赤色２３０−１号、赤色２３０−２号、赤色２３１号、赤色２３２号、赤色３号、赤色４０１号、赤色４０４号、赤色４０５号、赤色５０１号、赤色５０２号、赤色５０３号、赤色５０４号、赤色５０５号、赤色５０６号、橙色２０１号、橙色２０３号、橙色２０４号、橙色２０５号、橙色２０６号、橙色２０７号、橙色４０１号、橙色４０２号、橙色４０３号、黄色２０１号、黄色２０２−１号、黄色２０２−２号、黄色２０３号、黄色２０４号、黄色２０５号、黄色４号、黄色４０１号、黄色４０２号、黄色４０３−１号、黄色４０４号、黄色４０５号、黄色４０６号、黄色４０７号、黄色５号等の法定色素；Acid Red 14等のその他酸性染料；Arianor Sienna Brown、Arianor Madder Red、Arianor Steel Blue、Arianor Straw Yellow等の塩基染料；HC Yellow 2、HC Yellow 5、HC Red 3、4-hydoxypropylamino-3-nitrophenol、N，N’-bis(2-hydroxyethyl)-2-nitro-p-
phenylenediamine、HC Blue 2、Basic
Blue 26等のニトロ染料；分散染料；二酸化チタン、酸化亜鉛等の無機白色顔料；酸化鉄(ベンガラ)、チタン酸鉄等の無機赤色系顔料；γ−酸化鉄等の無機褐色系顔料；黄酸化鉄、黄土等の無機黄色系顔料；黒酸化鉄、低次酸化チタン等の無機黒色系顔料；マンゴバイオレット、コバルトバイオレット等の無機紫色系顔料；酸化クロム、水酸化クロム、チタン酸コバルト等の無機緑色系顔料；群青、紺青等の無機青色系顔料；酸化チタンコーテッドマイカ、酸化チタンコーテッドオキシ塩化ビスマス、酸化チタンコーテッドタルク、着色酸化チタンコーテッドマイカ、オキシ塩化ビスマス、魚鱗箔等のパール顔料；アルミニウムパウダー、カッパーパウダー、金等の金属粉末顔料；表面処理無機及び金属粉末顔料；赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、青色４０４号、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号、青色１号等のジルコニウム、バリウム又はアルミニウムレーキ等の有機顔料；表面処理有機顔料；アスタキサンチン、アリザリン等のアントラキノン類、アントシアニジン、β−カロチン、カテナール、カプサンチン、カルコン、カルサミン、クエルセチン、クロシン、クロロフィル、クルクミン、コチニール、シコニン等のナフトキノン類、ビキシン、フラボン類、ベタシアニジン、ヘナ、ヘモグロビン、リコピン、リボフラビン、ルチン等の天然色素・染料；ｐ−フェニレンジアミン、トルエン−２，５−ジアミン、ｏ−，ｍ−，若しくはｐ−アミノフェノール、ｍ−フェニレンジアミン、５−アミノ−２−メチルフェノール、レゾルシン、１−ナフトール、２，６−ジアミノピリジン等及びその塩等の酸化染料中間体及びカップラー；インドリン等の自動酸化型染料；ジヒドロキシアセトンが好ましいものとして挙げられる。
【００４１】
水としては、常水、精製水の他、硬水、軟水、天然水、海洋深層水、電解アルカリイオン水、電解酸性イオン水、イオン水、クラスター水が好ましいものとして挙げられる。
【００４２】
これらの他、化粧品原料基準、化粧品種別配合成分規格、日本化粧品工業連合会成分表示名称リスト、ＩＮＣＩ辞書（The International Cosmetic Ingredient Dictionary and Handbook）、医薬部外品原料規格、日本薬局方、医薬品添加物規格、食品添加物公定書等に記載されている成分、及び、国際特許分類ＩＰＣがＡ６１Ｋ７及びＡ６１Ｋ８の分類に属する日本国及び諸外国特許公報及び特許公開公報（公表公報・再公表を含む）に記載されている成分等、公知の化粧料成分、医薬品成分、食品成分などを、公知の組み合わせ及び配合比・配合量で含有させることが可能である。
【００４３】
本発明のポリエステルを含有する化粧料の種類としては、毛髪用化粧料、基礎化粧料、メイクアップ化粧料、芳香化粧料、ボディ化粧料、軟膏等の皮膚外用剤等が挙げられる。本発明の効果を発揮させる観点から、特に毛髪化粧料、メイクアップ化粧料に好ましく使用することができる。本発明の化粧料は、通常の方法に従って製造することができる。
【００４４】
本発明の化粧料の種類を更に詳細に説明すると、毛髪用化粧料としては、オイルシャンプー、クリームシャンプー、コンディショニングシャンプー、ふけ用シャンプー、ヘアカラー用シャンプー、リンス一体型シャンプー等のシャンプー；リンス、トリートメント、ヘアパック、ヘアフォーム、ヘアムース、ヘアスプレー、ヘアミスト、ヘアワックス、ヘアジェル、ウォーターグリース、セットローション、カラーローション、ヘアトニック、ヘアリキッド、ポマード、チック、ヘアクリーム、ヘアブロー、枝毛コート、ヘアオイル、パーマネントウェーブ用剤、ストレートパーマ剤、酸化染毛剤、ヘアブリーチ、ヘアカラープレトリートメント、ヘアカラーアフタートリートメント、パーマプレトリートメント、パーマアフタートリートメント、ヘアマニキュア、育毛剤が好ましいものとして挙げられる。
【００４５】
基礎化粧料としては、柔軟化粧水、収れん化粧水、洗浄用化粧水、多層式化粧水等の化粧水；エモリエントローション、モイスチャーローション、ミルキィーローション、ナリシングローション、ナリシングミルク、スキンモイスチャー、モイスャーエマルション、マッサージローション、クレンジングローション、プロテクトエマルション、サンプロテクト、サンプロテクター、ＵＶケアミルク、サンスクリーン、メイクアップローション、角質スムーザー、エルボーローション、ハンドローション、ボディローション等の乳液；エモリエントクリーム、栄養クリーム、ナリシングクリーム、バニシングクリーム、モイスチャークリーム、ナイトクリーム、マッサージクリーム、クレンジングクリーム、メイクアップクリーム、ベースクリーム、プレメイクアップクリーム、サンスクリーンクリーム、サンタンクリーム、除毛クリーム、デオドラントクリーム、シェービングクリーム、角質軟化クリーム等のクリーム；モイスチャージェル等のジェル；保湿エッセンス、美白エッセンス、紫外線防止エッセンス等のエッセンス；リポソーム美容液、リポソーム化粧水等のリポソーム化粧品類；ピールオフパック、粉末パック、ウォッシングパック、オイルパック、クレンジングマスク等のパック・マスク類；クレンジングフォーム、クレンジングクリーム、クレンジングミルク、クレンジングローション、クレンジングジェル、クレンジングオイル、クレンジングマスク、洗粉、洗顔パウダー等の洗顔料；化粧石鹸、透明石鹸、薬用石鹸、液状石鹸、ひげそり石鹸、合成化粧石鹸等の石鹸が好ましいものとして挙げられる。
【００４６】
メイクアップ化粧料としては、白粉・打粉類、ファンデーション類、口紅類、リップグロス、頬紅類、アイライナー、マスカラ、アイシャドー、眉墨、アイブロー、ネイルエナメル、エナメルリムーバー、ネイルトリートメントが好ましいものとして挙げられる。
【００４７】
芳香化粧料としては、香水、パフューム、パルファム、オードパルファム、オードトワレ、オーデコロン、練香水、芳香パウダー、香水石鹸、ボディローション、バスオイルが好ましいものとして挙げられる。
【００４８】
ボディ化粧料としては、ボディシャンプー等のボディ洗浄料；デオドラントローション、デオドラントパウダー、デオドラントスプレー、デオドラントスティック等の防臭化粧料；脱色剤、脱毛・除毛剤；浴用剤；虫よけスプレー等のインセクトリペラーが好ましいものとして挙げられる。
【００４９】
皮膚外用剤としては、軟膏剤、貼付剤、ローション剤、リニメント剤、液状塗布剤などの剤型で用いることができる。また、歯磨き、マウスウォッシュ等の口腔内化粧料としても用いることが出来る。
【００５０】
本発明の化粧料又は皮膚外用剤の剤型としては、水中油（Ｏ／Ｗ）型、油中水（Ｗ／Ｏ）型、Ｗ／Ｏ／Ｗ型、Ｏ／Ｗ／Ｏ型等の乳化型化粧料、油性化粧料、固形化粧料、液状化粧料、練状化粧料、スティック状化粧料、揮発性油型化粧料、粉状化粧料、ゼリー状化粧料、ジェル状化粧料、ペースト状化粧料、乳化高分子型化粧料、シート状化粧料、ミスト状化粧料、スプレー型化粧料等の剤型が好ましいものとして挙げられる。
【実施例】
【００５１】
以下、本発明につき実施例を用いてより詳細に説明するが、本発明はこれら実施例に限定されるものでない。
【００５２】
本発明において、重量平均分子量（Ｍｗ）とは、ゲルパーミエーションクロマトグラフィー（ＧＰＣ）により測定されたポリスチレン換算による数値をいう。本発明では以下の装置及び条件で測定された値である。
解析装置：ＧＰＣ−８０２０（東ソー社製）
カラム  ：ＴＳＫ−ＧＥＬ  Ｇ３０００ＨＨＲ（７．８×３００ｍｍ、東ソー社製）
ＴＳＫ−ＧＥＬ  Ｇ２０００ＨＨＲ（７．８×３００ｍｍ、東ソー社製）
ＴＳＫ−ＧＥＬ  ＧＭＨＨＲ−Ｍ（７．８×３００ｍｍ、東ソー社製）
検出器  ：ＲＩ検出器  ＲＩ−８０２０（東ソー社製）
溶媒    ：テトラヒドロフラン
測定温度：４０℃
流速    ：１．０ｍＬ／分
【００５３】
実施例１  ポリエステルの製造
攪拌機、温度計、ガス導入管を備えた５００ｍＬの反応器に、水素添加ダイマー酸（Ｃｒｏｄａ社製、ＰＲＩＰＯＬ１００６）１７０ｇ（０．３０モル）およびダイマージオール（Ｃｒｏｄａ社製、ＰＲＩＰＯＬ２０３３）１６２ｇ（０．３０モル）を仕込み、窒素気流中２１５〜２２５℃に加熱し、生成する水を除去しながら２８時間エステル化反応を行い、目的のポリエステル（ダイマー酸：ダイマージオール＝１．０：１．０）３１５ｇを淡黄色のガラス状物として得た（収率９８％）。
【００５４】
実施例２〜５  ポリエステルの製造
水素添加ダイマー酸とダイマージオールの比率を表１に記載の比率に変えた以外は、実施例１と同様にエステル化反応を行い、目的のポリエステルをそれぞれ得た。
【００５５】
実施例６  ポリエステルの製造
水素添加ダイマー酸として、ＰＲＩＰＯＬ１００６の代わりにＰＲＩＰＯＬ１０２５を使用し、ダイマー酸とダイマージオールの比率を１．０：１．０から０．９５：１．０に変えた以外は、実施例１と同様にエステル化反応を行い、目的のポリエステルを得た。
【００５６】
比較例１  オリゴマーエステルの製造
ダイマー酸とダイマージオールの比率を１．０：１．０から０．７：１．０に変えた以外は、実施例１と同様にエステル化反応を行い、比較のオリゴマーエステルを得た。
【００５７】
実施例１〜６のポリエステル及び比較例１のオリゴマーエステルについて、重量平均分子量、酸価、屈折率を測定した。結果は表１に記載した。
【００５８】
【表１】
2014009259.tif 000002
【００５９】
実施例７〜１０  ポリエステルを含有する油剤の製造
実施例２のポリエステル５０ｇにトリ(カプリル酸／カプリン酸)グリセリル５０ｇを加え、１００℃で１時間撹拌して、本発明のポリエステルを５０重量％含有する油剤を調製した。得られた油剤は室温で粘性の液状油であった。同様にして、ポリエステル含有量が４０、２０、１０重量％の油剤を作製した。得られた油剤について、２５℃での粘度を測定し、結果を表２に記載した。本発明のポリエステルを含有させることにより、油剤の粘度を大きく上昇させることが分かった。
【００６０】
【表２】
2014009259.tif 000003
【００６１】
毛髪化粧料評価（表面疎水性回復、枝毛抑制、感触）
実施例１〜６のポリエステルを用いて表３に記載の組成で毛髪化粧料（実施例１１〜１６）を調製し、毛髪に対する表面疎水性回復効果、枝毛抑制効果、感触の評価を行った。比較として、ポリエステルを含まない毛髪化粧料（比較例２）、本発明のポリエステルの代わりに、比較例１のオリゴマーエステルを配合した毛髪化粧料（比較例３）、高重合度のシリコーンを配合した毛髪化粧料（比較例４）、アミノ変性シリコーンを配合した毛髪化粧料（比較例５）を調製し、同じく評価を行った。試験方法は以下のように行い、結果は表３、４に記載した。
【００６２】
＜表面疎水性評価方法＞
健常黒髪人毛に市販パーマ処理剤にてパーマ処理を１回、市販２剤式酸化ブリーチ剤にて、ブリーチ処理を２回行い、損傷毛を作製した。この損傷毛を３％ラウレス硫酸Ｎａ水溶液で洗浄した後、２０本を束ね、各毛髪化粧料０．１ｇを塗布し、２分間放置後、流水下で３０秒間すすぎ流した後、２４℃湿度４５％下で１２時間乾燥させた。得られた毛髪について接触角を測定し、表面疎水性の指標とした。接触角は、水平に伸ばした毛髪１本の上に、１μＬの微小水滴を乗せ、マイクロスコープ（キーエンス社製）で真横から観察することにより測定した。測定は５回行い、結果は平均値で示した。なお、健常毛の接触角は１４２°、毛髪化粧料塗布前の損傷毛の接触角は１０３°であった。
【００６３】
＜枝毛抑制評価方法＞
健常黒髪人毛を市販２剤式酸化ブリーチ剤にてブリーチ処理１回、市販パーマ処理剤にてパーマ処理を１回行い、長さ１５ｃｍに毛先側を切りそろえた１ｇの毛束を作製した。この毛束を３％ラウレス硫酸Ｎａ水溶液で洗浄した後、各毛髪化粧料０．２ｇを塗布し、２分間放置後、流水下で３０秒間すすぎ流し、ドライヤーで乾燥した。得られた毛束について、モーターに連動した回転ブラシにより、回転数４００ｒｐｍの条件で６０分間ブラッシングを行った。その後、目視にて毛束に発生した枝毛・切れ毛の本数を確認した。測定は３回行い、結果は平均値で示した。
【００６４】
＜毛髪感触評価方法＞
健常黒髪人毛に市販２剤式酸化ブリーチ剤にてブリーチ処理を１回行い、損傷毛の毛束(２５ｃｍ×５ｇ）を作製した。この毛束を３％ラウレス硫酸Ｎａ水溶液で洗浄した後、各毛髪化粧料０．５ｇを塗布し、２分間放置後、流水下で３０秒間すすぎ流し、ドライヤーで乾燥した。得られた毛束について、感触（しっとり感と滑らかさ）を５名の専門パネラーで評価した。評価点は下記の５段階とし、比較例２の毛髪化粧料を３点として他の毛髪化粧料と比較した。結果は５名のパネラーの平均値で示した。
５点：非常に良い、４点：良い、３点：同じ、２点：やや良くない、１点：良くない
【００６５】
【表３】
2014009259.tif 000004
【００６６】
【表４】
2014009259.tif 000005
【００６７】
表３、４の結果より、本発明のポリエステルを配合した毛髪化粧料（実施例１１〜１６）は、本発明のポリエステル未配合の毛髪化粧料（比較例２）に比較して、毛髪表面の疎水性が大きく回復し、枝毛の発生が有意に抑制され、また、毛髪の感触も大きく改善されることが分かった。このような効果は、シリコーン化合物を配合した毛髪化粧料（比較例４、５）と比較しても同等又はそれ以上の結果であった。したがって、本発明のポリエステルが、シリコーン化合物と類似の感触を付与するとともに、高重合度のシリコーンやアミノ変性シリコーンのような、毛髪を保護し、ブラッシングによる枝毛の発生を抑えるといった効果を有することが分かった。
【００６８】
毛髪のくし通り性評価
実施例１２及び比較例４の毛髪化粧料について、毛髪のくし通り性を評価した。評価は以下のように行い、結果を表５に記載した。
（評価方法）
健常黒髪人毛を２剤式酸化ブリーチにてブリーチ処理２回、パーマ処理剤にてパーマ処理を２回行い、長さ２５ｃｍ、１５ｇの損傷毛の毛束を作製した。この毛束に各毛髪化粧料０．５ｇを塗布後、約２分間のすすぎを行い、乾燥した。得られた毛束について、コーミングテスター（テクノハシモト製）を用いて、くしを通した際に毛束にかかる荷重を測定し、くし通り性の指標とした。
【００６９】
【表５】
2014009259.tif 000006
【００７０】
表５の結果より、本発明のポリエステルを配合した毛髪化粧料（実施例１２）で処理した毛束は、比較とした高重合シリコーンを配合した毛髪化粧料（比較例４）と同程度に毛髪のくし通りを改善することが分かった。
【００７１】
毛髪への蓄積性評価
実施例１２の毛髪化粧料、および、比較例２〜４の毛髪化粧料について、毛髪への蓄積性を評価した。評価は以下のように行い、結果を表６に記載した。
（評価方法）
健常黒髪人毛を市販ブリーチ剤にて３回処理を行い、損傷毛の毛束を作製した。作製した損傷毛の毛束３ｇに、各毛髪化粧料０．３ｇを塗布し、２分間放置後、流水下で３０秒間すすぎ流した。その後３％ラウレス硫酸Ｎａ水溶液で洗浄し、乾燥させた。この処理を１０回繰り返し、毛髪化粧料の塗布と３％ラウレス硫酸Ｎａ水溶液による洗浄を１０回繰り返した毛束を作製した。得られた毛束について、赤外吸収スペクトル(ＡＴＲ法)を測定し、エステル結合に由来する１７５０ｃｍ−1付近のピーク、又は、シリコーン化合物に由来する１２５０ｃｍ−1及び１１１０ｃｍ−1付近のピークの有無を確認した。
【００７２】
【表６】
2014009259.tif 000007
【００７３】
表６の結果より、高重合シリコーンを配合した毛髪化粧料（比較例４）で処理した毛束では、シリコーン化合物に由来するピークが確認されたのに対して、本発明のポリエステル（実施例１２）では、従来のオリゴマーエステル（比較例３）と同様にエステルに由来するピークは確認されなかった。したがって、本発明のポリエステルは、シリコーン化合物に比較して、洗浄により毛髪表面から洗い流されやすく、繰り返し使用しても毛髪表面に蓄積することが少ないと考えられた。
【００７４】
口唇化粧料評価（粘度、感触）
実施例２のポリエステルを用いて表７に記載の組成で口唇化粧料（実施例１７、１８）を調製した。比較として、比較例１のオリゴマーエステルを配合した口唇化粧料（比較例６）及び本発明のポリエステル未配合の口唇化粧料（比較例７）を調製した。なお、実施例１７，１８、比較例６の口唇化粧料は、粘度が同程度になるように、油ゲル化剤であるパルミチン酸デキストリンの配合量を調整した（口唇化粧料の粘度は表７に記載）。得られた口唇化粧料について、感触を以下のように評価し、得られた結果を表７に示した。
（評価方法）
各口唇化粧料を唇に一定量塗布し、塗布後の感触（皮膚の柔らかさ）について、５名の専門パネラーで評価した。評価点は下記の５段階とし、比較例７の口唇化粧料の評点を３点として他の口唇化粧料と比較した。結果は５名のパネラーの平均値で示した。
５点：非常に良い  ４点：良い  ３点：同じ  ２点：やや良くない  １点：良くない
【００７５】
【表７】
2014009259.tif 000008
【００７６】
表７の結果より、本発明のポリエステルを配合した口唇化粧料は、より少ないパルミチン酸デキストリン配合量で、処方の粘度を上げられることが分かった。また、唇に対して優れた柔軟性を付与する効果を有することが分かり、その効果は、従来のオリゴマーエステルよりも優れていた。
【００７７】
皮膚化粧料評価（感触）
実施例２のポリエステルを用いて表８に記載の組成で皮膚化粧料（実施例１９）を調製した。比較として、比較例１のオリゴマーエステルを配合した皮膚化粧料（比較例８）及び本発明のポリエステル未配合の皮膚化粧料を調製した。得られた皮膚化粧料について、感触を以下のように評価し、得られた結果を表８に示した。
（評価方法）
各皮膚化粧料を前腕内側部に一定量塗布し、塗布後の感触（皮膚の柔らかさ）について、５名の専門パネラーで評価した。評価点は下記の５段階とし、比較例７の皮膚化粧料の評点を３点として他の皮膚化粧料と比較した。結果は５名のパネラーの平均値で示した。
５点：非常に良い  ４点：良い  ３点：同じ  ２点：やや良くない  １点：良くない
【００７８】
【表８】
2014009259.tif 000009
【００７９】
表８の結果より、本発明のポリエステルを配合した皮膚化粧料は、皮膚に対して柔軟性を付与する効果を有することが分かり、その効果は、従来品のオリゴマーエステルよりも優れていた。
【００８０】
実施例２０  ヘアトリートメント
本発明の油性基剤を用いて、下記処方のトリートメントを調製した。このトリートメントは、シリコーンを用いなくても毛髪のダメージ感を改善し、しっとり感、なめらかさ及びその持続感を与えることが可能なトリートメントであった。また、シャンプー洗浄後は毛髪への残留感を感じないものであった。
成        分                          配合量（重量％）
−−−−−−−−−−−−−−−−−−−−−−−−−−−−−−−−
Ａ部
実施例８の油剤                                    5.00
Ｎｅｏｓｏｌｕｅ−Ａｑｕｌｉｏ（日本精化）        0.50
ステアリン酸グリセリル（ＳＥ）                    4.50
ステアレス−１０                                  4.00
セタノール                                        4.00
ステアルトリモニウムクロリド（６３％）            1.80
ベヘントリモニウムクロリド（８０％）              1.00
Ｂ部
メチルパラベン                                    0.20
精製水                                    合計で100となる量
−−−−−−−−−−−−−−−−−−−−−−−−−−−−−−−−−
（調製方法）
Ｂ部を約８０℃に加温し溶解させた。別容器にＡ部を加え、加温し、溶解させた。Ａ部にＢ部を徐々に加え、均一に混合した。
【００８１】
実施例２１  ヘアトリートメント
下記処方のトリートメントを調製した。このトリートメントは、毛髪のダメージ感を改善し、しっとり感、なめらかさを付与することができるものであった。
成        分                              配合量（重量％）
−−−−−−−−−−−−−−−−−−−−−−−−−−−−−−−−−
Ａ部
実施例７の油剤                                      3.00
ベヘントリモニウムクロリド（８０％）                2.40
セタノール                                          5.20
ステアリン酸グリセリル                              1.20
Ｎｅｏｓｏｌｕｅ−ＥＨＳ（日本精化）                0.40
シクロペンタシロキサン                              0.80
ジメチコノール                                      0.10
Ｂ部
メチルパラベン                                      0.10
プロピルパラベン                                    0.10
精製水                                      合計で100となる量
Ｃ部
アミノエチルアミノプロピルシロキサン・
ジメチルシロキサン共重合体エマルション              2.00
−−−−−−−−−−−−−−−−−−−−−−−−−−−−−−−−−
（調製方法）
Ａ部、Ｂ部をそれぞれとり、約８０℃に加温し、それぞれ均一に混合した。Ａ部にＢ部を攪拌しながら徐々に加え、均一に混合した後、冷却した（Ｄ部）。Ｄ部にＣ部を加え均一に混合した。
【００８２】
実施例２２  ヘアトリートメント
下記処方のトリートメントを調製した。このトリートメントは、毛髪のダメージ感を改善し、しっとり感、なめらかさを付与することができるものであった。
成        分                        配合量（重量％）
−−−−−−−−−−−−−−−−−−−−−−−−−−−−−−−
Ａ部
実施例１０の油剤                                  10.00
セタノール                                        6.00
ジメチコン（１０００ｃｓ）                        2.00
アミノプロピルジメチコン                          0.40
ベヘントリモニウムクロリド（８０％）              2.40
ジステアリルジモニウムクロリド（７５％）          0.80
ステアリン酸グリセリル                            0.80
Ｂ部
フェノキシエタノール                              0.50
精製水                                    合計で100となる量
Ｃ部
加水分解ケラチン（２０％）                        1.50
−−−−−−−−−−−−−−−−−−−−−−−−−−−−−−−
（調製方法）
Ｂ部を約８０℃に加温し、均一に溶解させた。別容器にＡ部を加え、加温し、溶解させた。Ａ部にＢ部を徐々に加え、均一に混合し、冷却した。４０℃付近でＣ部を添加し、均一に混合した。
【００８３】
実施例２３  ヘアトリートメント
下記処方のトリートメントを調製した。このトリートメントは、洗い流し時の感触に優れ、毛髪の水分を保ち、毛髪に艶、しっとり感、なめらかな感触を付与することができるものであった。
成        分                          配合量（重量％）
−−−−−−−−−−−−−−−−−−−−−−−−−−−−−−−−−
Ａ部
実施例５のポリエステル                              0.50
ベヘニルアルコール                                  4.00
セタノール                                          2.00
ベヘントリモニウムクロリド                          2.00
ステアラミドプロピルジメチルアミン                  1.00
ステアリン酸グリセリル                              0.40
ＰＰＧ−９ジグリセリル                              0.20
ジイソステアリン酸ポリグリセリル−２                0.10
水添レシチン                                        0.10
ジメチコン                                          1.00
吸着精製ラノリン                                    0.20
ジオクタン酸ネオペンチルグリコール                  0.50
Ｎｅｏｓｏｌｕｅ−ＥＨＳ（日本精化）                0.50
トコフェロール                                      0.05
Ｂ部
グリセリン                                          0.20
ＤＰＧ                                              0.20
加水分解コラーゲン                                  0.10
パンテノール                                        0.10
ヒドロキシセルロース                                0.02
ポリクオタニウム−１０                              0.05
フェノキシエタノール                                0.20
クエン酸                                            適量
エデト酸３Ｎａ                                      0.01
ペンテト酸                                          0.02
精製水                                      合計で100となる量
Ｃ部
アルギニン                                          0.10
−−−−−−−−−−−−−−−−−−−−−−−−−−−−−−−−−
（調製方法）
Ａ部を約８０℃に加温し、均一に溶解させた。別の容器にＢをとり、約８０℃に加温し、均一に溶解させた。別の容器にＣ部をとり、一部の精製水を加え溶解させた後、Ａ部に加えて攪拌し、実施例５のポリエステルと塩を形成させた。さらにＡ部にＢ部を徐々に加えて均一に混合し、冷却した。
【００８４】
実施例２４  リーブオンヘアトリートメント
下記処方の洗い流さないヘアトリートメントを調製した。このヘアトリートメントは、シリコーンを用いなくても毛髪のダメージ感を改善し、すべり、しっとり感が向上するものであった。また、シャンプー洗浄後は毛髪への残留感を感じないものであった。
成        分                                配合量（重量％）
−−−−−−−−−−−−−−−−−−−−−−−−−−−−−−−−−−
Ａ部
実施例１０の油剤                                      0.10
シクロヘキサンジカルボン酸ビスエトキシジグリコール    2.00
セトリモニウムクロリド（２５％）                      3.80
カプリリルグルコシド（５０％）                        0.80
グリセリン                                            4.00
フェノキシエタノール                                  0.50
Ｂ部
エタノール                                            5.00
Ｃ部
ポリクオタニウム−６                                  0.60
ポリクオタニウム−７                                  0.40
ポリクオタニウム−３９                                0.50
精製水                                        合計で100となる量
−−−−−−−−−−−−−−−−−−−−−−−−−−−−−−−−−−
（調製方法）
Ｃ部を約８０℃に加温し、溶解させた。次にＡ部を約８０℃に加温し溶解させた。Ｃ部を攪拌しながらＡ部加え、均一に混合後、約４０℃まで冷却させた。次いで、Ｂ部を加え、均一に混合させた。
【００８５】
実施例２５  リーブオントリートメント
下記処方のリーブオントリートメントを調製した。このリーブオントリートメントは、しっとりした感触で、毛髪にしっとり感とすべり感を付与できるものであった。
成        分                                配合量（重量％）
−−−−−−−−−−−−−−−−−−−−−−−−−−−−−−−−−−
Ａ部
実施例６のポリエステル                                1.00
セバシン酸ジエチル                                    2.00
ミリスチルアルコール                                  5.00
ベヘニルアルコール                                    1.00
オレイルアルコール                                    1.00
ステアラミドプロピルジメチルアミン                    2.00
ココアンホ酢酸Ｎａ（３０％）                          2.00
ステアリン酸グリセリル                                0.40
ミリスチン酸                                          0.60
フェニルトリメチコン                                  1.00
ジフェニルジメチコン                                  0.10
ＰＥＧ−１０ジメチコン                                1.00
ＰＥＧ−１２メチルエーテルラウロキシ
ＰＥＧ−５アミドプロピルジメチコン                    0.05
ビスセテアリルアモジメチコン                          0.10
（アミノエチルアミノプロピルメチコン／
ジメチコン）コポリマー                                0.10
フェノキシエタノール                                  0.40
Ｂ部
乳酸                                                  0.60
精製水                                        合計で100となる量
−−−−−−−−−−−−−−−−−−−−−−−−−−−−−−−−−−
（調製方法）
Ａ部を約８０℃に加温し、均一に溶解させた。Ｂ部を約８０℃に加温し、溶解させた。Ａ部にＢ部を徐々に加え、均一に混合した。
【００８６】
実施例２６  ヘアリンス
下記処方のヘアリンスを調製した。このリンスは、シリコーンを用いていないにもかかわらず、洗浄時の指どおりが良く、洗浄後はしっとり感、艶を付与し、なめらかな指通りを付与することができるリンスであった。
成        分                          配合量（重量％）
−−−−−−−−−−−−−−−−−−−−−−−−−−−−−−−−−
１    実施例２のポリエステル                          1.00
２    ＹＯＦＣＯ  ＭＡＳ（日本精化）                  0.50
３    セトリモニウムクロリド                          5.20
４    オクチルデカノール                              4.70
５    セタノール                                      2.80
６    ステアルトリモニウムクロリド                    0.60
７    エチルへキサン酸セチル                          0.30
８    スクワラン                                      0.30
９    ミリスチル硫酸Ｎａ                              0.20
１０  ＰＯＥ（４０）セチルエーテル                    0.10
１１  オレス−５                                      0.10
１２  セチル硫酸Ｎａ                                  0.10
１３  クエン酸                                        0.10
１４  メチルパラベン                                  0.10
１５  精製水                                    合計で100となる量
−−−−−−−−−−−−−−−−−−−−−−−−−−−−−−−−−
（調製方法）
Ｎｏ．１〜１２を約８０℃に加温し、溶解させた（Ａ部）。別容器にＮｏ．１４〜１５を約８０℃に加温し溶解させた（Ｂ部）。Ａ部にＢ部を攪拌しながら、徐々に加え均一に混合し、その後Ｎｏ．１３を添加し攪拌した後、急冷した。
【００８７】
実施例２７  ヘアクリームワックス
下記処方のヘアクリームワックスを調製した。このヘアクリームワックスは、毛髪に塗布すると、艶があり、べたつかず、動いてもばらけず、適度な毛束感があり、ヘアスタイルの保持性に優れるヘアワックスであった。
成        分                          配合量（重量％）
−−−−−−−−−−−−−−−−−−−−−−−−−−−−−−−−−
Ａ部
実施例１のポリエステル                            4.00
脂肪酸（Ｃ１８−３５）グリコール                  6.00
ジオレイン酸ＰＥＧ−１２０メチルグルコース        5.00
ラノリン脂肪酸オクチルドデシル                    5.00
ステアリン酸                                      4.00
キャンデリラロウ                                  3.00
セバシン酸ジエチル                                2.00
ジメチコン（１０万ｃｓ）                          1.00
シクロペンタシロキサン                            1.00
セテス−２                                        2.00
セテス−７                                        2.00
セテス−２０                                      1.00
ジココジモニウムクロリド（７５％）                1.00
プロピルパラベン                                  0.10
Ｂ部
トリエタノールアミン                              0.30
メチルパラベン                                    0.20
精製水                                    合計で100となる量
−−−−−−−−−−−−−−−−−−−−−−−−−−−−−−−−−
（調製方法）
Ａ部を約８０℃に加温し、溶解させた。別容器にＢ部をとり、約８０℃に加温し均一に溶解させた（Ｂ部）。Ａ部にＢ部を徐々に加え、均一に混合した。室温まで冷却した後、ｐＨを調整した。
【００８８】
実施例２８  ヘアシャンプー
下記処方のシャンプーを調製した。このシャンプーは、シリコーンを用いることなく毛髪にしっとり感、艶を付与し、なめらかな指通りを付与することができるシャンプーであった。
成        分                          配合量（重量％）
−−−−−−−−−−−−−−−−−−−−−−−−−−−−−−−−−
１    実施例９の油剤                                  0.30
２    ココイルメチルメチルタウリンＮａ（３０％）      30.00
３    コカミドプロピルベタイン（３０％）              20.00
４    ラウレス−１２酢酸Ｎａ（３０％）                5.00
５    １，３−ブチレングリコール                      1.00
６    コカミドＭＥＡ                                  2.00
７    ジステアリン酸グリコール                        1.50
８    ポリクオタニウム−１０                          0.50
９    ポリクオタニウム−７                            0.30
１０  カチオンＮＨ（日本精化）                        0.50
１１  安息香酸Ｎａ                                    0.40
１２  フェノキシエタノール                            0.20
１３  メチルパラベン                                  0.20
１４  精製水                                    合計で100となる量
−−−−−−−−−−−−−−−−−−−−−−−−−−−−−−−−−
（調製方法）
Ｎｏ．１〜７を約８０℃に加温し、溶解させた（Ａ部）。別容器にＮｏ．８〜１４を約８０℃に加温し溶解させた（Ｂ部）。Ａ部にＢ部を攪拌しながら、徐々に加え均一に混合し、その後急冷した。
【００８９】
実施例２９  ヘアシャンプー
下記処方のヘアシャンプーを調製した。このシャンプーは、髪の毛をボリュームアップさせながら、ごわつきを抑えてさらっとしたすべり感を付与できるものであった。
成        分                              配合量（重量％）
−−−−−−−−−−−−−−−−−−−−−−−−−−−−−−−−−−
Ａ部
実施例４のポリエステル                                0.10
Ｐｌａｎｄｏｏｌ−Ｈ（日本精化）                      0.20
ココイルグルタミン酸（３０％）                        40.00
オレフィン（Ｃ１４〜１６）スルホン酸Ｎａ液（３０％）  10.00
ラウラミドＭＩＰＡ                                    4.50
ジオレイン酸ＰＥＧ−１２０メチルグルコース            2.00
ＳＩＭＵＬＧＥＬ  ＥＧ（ＳＥＰＰＩＣ社）              3.00
ＰＥＧ−１２ジメチコン                                1.00
ＰＥＧ１０メチルエーテルジメチコン                    0.30
ジメチコノール                                        0.30
ジメチコン（１０ｃｓ）                                0.10
Ｂ部
メチルパラベン                                        0.20
精製水                                        合計で100となる量
Ｃ部
（ビスイソブチルＰＥＧ−１４／アモジメチコン）コポリマー
0.50
アミノプロピルフェニルトリメチコン                    0.10
ビス（Ｃ１３−１５アルコキシ）ＰＧジメチコン          0.10
−−−−−−−−−−−−−−−−−−−−−−−−−−−−−−−−−−
（調製方法）
Ｂ部を約８０℃に加温し均一に溶解させた。別容器にＡ部をとり、加温し、溶解させた。Ａ部にＢ部を徐々に加え、均一に混合し、約６０℃でＣ部を加えた。
【００９０】
実施例３０  毛髪脱色剤（２剤式）
下記処方の毛髪脱色剤（２剤式）を調製した。この毛髪脱色剤（２剤式）は、毛髪に施術することにより、毛髪のダメージを抑制し、毛髪に柔軟性、すべり感等の良好な感触を付与できる脱色剤であった。
（１剤）
成        分                          配合量（重量％）
−−−−−−−−−−−−−−−−−−−−−−−−−−−−−−−−−
１  実施例６のポリエステル                          0.10
２  ポリオキシエチレンオレイルエーテル              50.00
３  アンモニア水（２５％）                          20.00
４  塩化セチルトリメチルアンモニウム                10.00
５  エタノール                                      10.00
６  精製水                                    合計で100となる量
−−−−−−−−−−−−−−−−−−−−−−−−−−−−−−−−−
（調製方法）
各成分を均一に攪拌、混合した。
（２剤）
成        分                          配合量（重量％）
−−−−−−−−−−−−−−−−−−−−−−−−−−−−−−−−−
１  過酸化水素水                                    19.00
２  塩化セチルトリメチルアンモニウム（２５％）      7.00
３  セタノール                                      3.50
４  ポリオキシエチレン（２）セチルエーテル          1.00
５  ポリオキシエチレン（２０）セチルエーテル        1.00
６  ピロリン酸Ｎａ                                  0.10
７  ジエチレントリアミン5酢酸                      0.10
８  クエン酸（５０％）                              適量
９  精製水                                    合計で100となる量
−−−−−−−−−−−−−−−−−−−−−−−−−−−−−−−−−
（調製方法）
各成分を均一に攪拌、混合した。
（配合比）
１剤：２剤＝１：１
【００９１】
実施例３１  毛髪脱色剤（３剤式）
下記処方の毛髪脱色剤（３剤式）を調製した。なお、１剤、２剤は実施例３０の１剤、２剤を用いた。この毛髪脱色剤（３剤式）は、毛髪に施術することにより、毛髪のダメージを抑制し、毛髪に柔軟性、すべり感等の良好な感触を付与できる脱色剤であった。
（３剤）
成        分                          配合量（重量％）
−−−−−−−−−−−−−−−−−−−−−−−−−−−−−−−−−
１  過硫酸アンモニウム                              65.00
２  炭酸ナトリウム                                  35.00
−−−−−−−−−−−−−−−−−−−−−−−−−−−−−−−−−
（調製方法）
各成分を均一に混合した。
（配合比）
１剤：２剤：３剤＝３：６：１
【００９２】
実施例３２  酸化染毛剤
下記処方の酸化染毛剤を調製した。この酸化染毛剤は、毛髪に施術することにより、毛髪のダメージ感を抑え、しっとり感、すべり感等の良好な感触を付与できる酸化染毛剤であった。
（１剤）
成        分                          配合量（重量％）
−−−−−−−−−−−−−−−−−−−−−−−−−−−−−−−−−
１    実施例２のポリエステル                          0.50
２    塩化セチルトリメチルアンモニウム（２５％）      24.00
３    セタノール                                      9.00
４    オクチルデカノール                              9.00
５    モノエタノールアミン                            3.80
６    アンモニア水                                    2.00
７    ミリスチル硫酸Ｎａ                              1.50
８    ポリオキシエチレン（２０）オレイルエーテル      1.40
９    塩酸トルエン−２、５−ジアミン                  1.00
１０  レゾルシン                                      1.00
１１  メタアミノフェノール                            0.50
１２  パラアミノフェノール                            0.20
１３  オルトアミノフェノール                          0.10
１４  アスコルビン酸                                  0.20
１５  香料                                            0.10
１６  精製水                                          45.70
−−−−−−−−−−−−−−−−−−−−−−−−−−−−−−−−−
（調製方法）
各成分を均一に混合した。
（２剤）
成        分                          配合量（重量％）
−−−−−−−−−−−−−−−−−−−−−−−−−−−−−−−−−
１  過酸化水素水                                    17.00
２  塩化セチルトリメチルアンモニウム（２５％）      10.00
３  セタノール                                      3.00
４  ポリオキシエチレン（２）セチルエーテル          1.00
５  ポリオキシエチレン（２０）セチルエーテル        1.00
６  ピロリン酸Ｎａ                                  0.10
７  ジエチレントリアミン                            0.10
８  クエン酸（５０％）                              適量
９  精製水                                    合計で100となる量
−−−−−−−−−−−−−−−−−−−−−−−−−−−−−−−−−
（調製方法）
各成分を均一に混合し、クエン酸でｐＨを３．５〜４．０に調整した。
（配合比）
１剤：２剤＝１：１
【００９３】
実施例３３  酸性染毛剤
下記処方の酸性染毛剤を調製した。この酸性染毛剤は、毛髪に施術することにより、毛髪に柔軟性、すべり感等の良好な感触を付与できる酸性染毛剤であった。
成        分                          配合量（重量％）
−−−−−−−−−−−−−−−−−−−−−−−−−−−−−−−−−
実施例８の油剤                                    0.50
Ｎ−メチルピロリドン                              15.00
ベンジルアルコール                                8.50
ジメチコン（１０００ｃｓ）                        2.00
クエン酸                                          1.00
褐色２０１号                                      0.13
黒色４０１号                                      0.05
精製水                                      合計で100となる量
−−−−−−−−−−−−−−−−−−−−−−−−−−−−−−−−−
（調製方法）
各成分を均一に混合した。
【００９４】
実施例３４  システイン系パーマ剤
下記処方のシステイン系パーマ剤を調製した。このシステイン系パーマ剤は、毛髪に施術することにより、柔軟性、すべり感等の良好な感触を付与でき、ウェーブ形成を持続させることのできるパーマ剤であった。
（１液）
成        分                          配合量（重量％）
−−−−−−−−−−−−−−−−−−−−−−−−−−−−−−−−−
実施例１０の油剤                                  0.50
モノエタノールアミン                              4.50
Ｌ−システイン塩酸塩                              3.20
アセチルシステイン                                2.50
オレス−２０                                      2.00
チオグリコール酸アンモニウム液（５０％）          1.90
ＰＥＧ−２０ソルビタンココエート                  1.00
アンモニア水（２８％）                            0.30
精製水                                    合計で100となる量
−−−−−−−−−−−−−−−−−−−−−−−−−−−−−−−−−
（調製方法）
各成分を均一に攪拌、混合した。
（２液）
成        分                          配合量（重量％）
−−−−−−−−−−−−−−−−−−−−−−−−−−−−−−−−−
Ａ部
エマコールＴＳ−７０３（山栄化学）                2.00
ステアルトリモニウムクロリド（５０％）            2.00
臭素酸Ｎａ                                        10.00
エマコールＮＺ（山栄化学）                        4.00
オレス−２０                                      3.00
実施例７の油剤                                    0.50
Ｂ部
安息香酸Ｎａ                                      0.20
エデト酸２Ｎａ                                    0.10
リン酸二アンモニウム                              0.10
精製水                                    合計で100となる量
−−−−−−−−−−−−−−−−−−−−−−−−−−−−−−−−−
（調製方法）
Ｂ部を約６０℃に加温し、溶解させた。次いでＡ部を順番にＢ部に添加し、均一に混合、冷却した。
【００９５】
実施例３５  チオグリコール酸系パーマ剤
下記処方のチオグリコール酸系パーマ剤を調製した。このチオグリコール酸系パーマ剤は、毛髪に施術することにより、毛髪にすべり感、しっとり感を与えるパーマ剤であった。
（１液）
成        分                          配合量（重量％）
−−−−−−−−−−−−−−−−−−−−−−−−−−−−−−−−−
１    実施例３のポリエステル                        0.10
２    ポリオクタニウム−２２                        2.00
３    モノエタノールアミン                          1.00
４    アンモニア水                                  1.00
５    ＰＥＧ−５０水添ヒマシ油                      0.20
６    炭酸水素アンモニウム                          2.00
７    リン酸２Ｎａ                                  0.50
８    チオグリコール酸アンモニウム水溶液            11.40
９    システイン                                    1.50
１０  ＥＤＴＡ−４Ｎａ                              0.15
１１  水酸化Ｎａ                                    0.25
１２  ポリクオタニウム−１０                        0.10
１３  精製水                                  合計で100となる量
−−−−−−−−−−−−−−−−−−−−−−−−−−−−−−−−−
（調製方法）
Ｎｏ．１３の大部分にＮｏ．１１を溶解させ、次いでＮｏ．１２を少量ずつ加えて溶解させ、さらにＮｏ．８〜１０を加え溶解させた（Ａ部）。別容器にＮｏ．１３の残りをとり、Ｎｏ．６、７を加え、加温、溶解させた（Ｂ部）。別容器にＮｏ．１〜５を加え、約５０℃に加温し、溶解させた（Ｃ部）。Ａ部にＢ部を加え、均一に混合させた後、Ｃ部を徐々に加え、均一に混合した。
（２液）
実施例３４の２液を使用した。
【００９６】
実施例３６  ストレートパーマ剤（カチオンタイプ）
下記処方のストレートパーマ剤（カチオンタイプ）の１液、２液を調製した。このストレートパーマ剤は、施術時はしっかり毛髪を保持でき、洗い流した後はすべり感に優れるものであった。
（１液）
成        分                          配合量（重量％）
−−−−−−−−−−−−−−−−−−−−−−−−−−−−−−−−−
１    実施例２のポリエステル                          1.00
２    セタノール                                      5.00
３    ステアルトリモニウムクロリド                    2.40
４    セテス−２０                                    2.40
５    トリベヘニンＰＥＧ−２０                        2.00
６    セテス−６                                      0.80
７    ラウリン酸モノイソプロパノールアミド            0.80
８    ＰＥＧ−６０水添ヒマシ油                        0.40
９    チオグリコール酸アンモニウム液（５０％）        13.50
１０  モノエタノールアミン                            1.70
１１  ポリクオタニウム−６                            1.30
１２  加水分解ダイズタンパク                          1.00
１３  ＥＤＴＡ−４Ｎａ                                0.10
１４  アンモニア水（２８％）                          1.10
１５  精製水                                          66.50
−−−−−−−−−−−−−−−−−−−−−−−−−−−−−−−−−
（調製方法）
Ｎｏ．１５の大部分を約８０℃に加温した（Ａ部）。別容器にＮｏ．１〜８を加え加温し、溶解させた（Ｂ部）。別容器にＮｏ．１５の残り、Ｎｏ．９〜１３を加え、均一に溶解させた（Ｃ部）。Ａ部にＢ部を加え、混合攪拌し、約４５℃付近でＣ部を加え、均一に混合した。室温まで冷却した後、Ｎｏ．１４を加えた。
（２液）
成        分                          配合量（重量％）
−−−−−−−−−−−−−−−−−−−−−−−−−−−−−−−−−
１    実施例２のポリエステル                          0.10
２    セタノール                                      5.00
３    エマコール  ＶＴ−２０（山栄化学）              5.00
４    トリオクタノイン                                2.00
５    オクチルドデカノール                            0.60
６    セテス−２０                                    0.50
７    リン酸二アンモニウム                            0.20
８    安息香酸Ｎａ                                    0.15
９    臭素酸Ｎａ                                      8.00
１０  精製水                                  合計で100となる量
−−−−−−−−−−−−−−−−−−−−−−−−−−−−−−−−−
（調製方法）
Ｎｏ．１〜６を加え、約７０℃に加温し、溶解させた（Ａ部）。別容器にＮｏ．１０の大部分をとり、約７０℃に加温し、Ｎｏ．７、８を加え溶解させた（Ｂ部）。別容器にＮｏ．１０の残りをとり、約６０℃に加温し、Ｎｏ．９を加え溶解させた（Ｃ部）。約７０℃でＡ部にＢ部を加え、粘度が高くなるまで攪拌した。６０℃まで冷却し、攪拌しながらＣ部を加え均一に混合した。温度が約５０℃まで低下した後、急冷した。
【００９７】
実施例３７  ムース
下記処方のムースを調製した。このムースは、毛髪のダメージ感を抑制し、べたつかず、ヘアスタイルの保持性に優れるものであった。
成        分                          配合量（重量％）
−−−−−−−−−−−−−−−−−−−−−−−−−−−−−−−−−
実施例３のポリエステル                                0.20
エタノール                                            5.00
ポリエチレングリコールオレイルエーテル（２０）        1.00
アクリル樹脂アルカノールアミン液                      3.00
ステアリン酸ジエチルアミノプロピルアミド              0.50
ピロリドンカルボン酸                                  0.20
防腐剤、香料                                          1.00
精製水                                      合計で100となる量
−−−−−−−−−−−−−−−−−−−−−−−−−−−−−−−−−
（調製方法）
以上の成分を混合し、得られたベースとＬＰＧをベース：ＬＰＧ＝９２：８の割合で混合し、噴射型ムースとした。
【００９８】
実施例３８  ヘアクリーム
下記処方のヘアクリームを調製した。このヘアクリームは毛髪のダメージ感を抑制し、べたつかず、感触に優れるものであった。
成        分                          配合量（重量％）
−−−−−−−−−−−−−−−−−−−−−−−−−−−−−−−−−
Ａ部
ステアリン酸                                          2.00
ラノリン                                              3.00
パラフィンワックス                                    2.00
流動パラフィン                                        38.00
実施例５のポリエステル                                0.20
モノステアリン酸グリセリン（ＳＥ）                    1.00
モノステアリン酸ソルビタン                            1.00
ポリオキシエチレンセチルエーテル                      1.50
防腐剤                                                適量
Ｂ部
トリエタノールアミン                                  1.00
Ｃ部
１,３−ブチレングリコール                            3.00
（ＨＥＭＡグルコシド／メタクリル酸エチルトリモニウム
クロリド）コポリマー（２０％、日本精化）              2.50
香料                                                  適量
精製水                                        合計で100となる量
−−−−−−−−−−−−−−−−−−−−−−−−−−−−−−−−−
（調製方法）
Ａ部を８０℃で混合した。Ｂ部を一部の精製水で希釈し、８０℃に加温しＡ部に添加した（Ｄ部）香料を除くＣ部を混合し、８０℃に加温しＡ部と混合し、均一にした。５０℃まで冷却後、香料を添加して製造した。
【００９９】
実施例３９  クレンジングフォーム
下記処方のクレンジングフォームを調製した。このクレンジングフォームは、泡立ちも良く、クレンジング時からすすぎ、洗い上がりまでしっとりとした感触が持続するものであった。
成        分                          配合量（重量％）
−−−−−−−−−−−−−−−−−−−−−−−−−−−−−−−−−
ステアリン酸Ｋ                                    10.00
パルミチン酸Ｋ                                    10.00
ミリスチン酸Ｋ                                    10.00
ラウリン酸Ｋ                                      4.00
ラノリン                                          2.00
ＰＥＧ１５００                                    10.00
グリセリン                                        15.00
モノステアリン酸グリセリル                        2.00
ＰＯＥ（２０）ソルビタンモノステアレート          2.00
実施例９の油剤                                    1.50
防腐剤、香料                                      微量
精製水                                      合計で100となる量
−−−−−−−−−−−−−−−−−−−−−−−−−−−−−−−−−
（調製方法）
全成分を均一に混合した。
【０１００】
実施例４０  クレンジングジェル
下記処方のクレンジングジェルを調製した。このクレンジングジェルはファンデーション、メイクアップ等の落ちがよく、適度に厚みがありべたつかず、さっぱりした感触を付与する等の効果が得られるものあった。
成        分                          配合量（重量％）
−−−−−−−−−−−−−−−−−−−−−−−−−−−−−−−−−
１  実施例４のポリエステル                          8.00
２  Ｐｌａｎｄｏｏｌ−Ｈ（日本精化）                2.00
３  ベルポールＤＣ−３０（日本精化）                2.00
４  ＬＵＳＰＬＡＮ  ＤＤ−ＩＳ（日本精化）          15.00
５  ＰＥＧ−２５水添ヒマシ油                        20.00
６  グリセリン                                      16.00
７  ＢＧ                                            5.00
８  精製水                                  合計で100となる量
−−−−−−−−−−−−−−−−−−−−−−−−−−−−−−−−−
（調製方法）
Ｎｏ．１〜Ｎｏ．７を秤りとり、約８０℃に加温して溶解する（Ａ）。Ｎｏ．８を秤りとり、約８０℃に加温する（Ｂ）。攪拌しながらＡにＢを徐々に加え、乳化後４０℃まで冷却する。
【０１０１】
実施例４１  クレンジングクリーム
下記処方のクレンジングクリームを調製した。このクレンジングクリームはメイクアップ化粧料とのなじみも良く、クレンジング効果に優れるものであった。
成        分                          配合量（重量％）
−−−−−−−−−−−−−−−−−−−−−−−−−−−−−−−−−
１    実施例６のポリエステル                        5.00
２    セレシン                                      6.00
３    ミネラルオイル                                35.00
４    セスキオレイン酸ソルビタン                    1.50
５    オレイン酸ポリオキシエチレンソルビタン        0.30
６    パラフィン                                    2.00
７    ブチルパラベン                                0.10
８    メチルパラベン                                0.20
９    エデト酸三ナトリウム                          0.02
１０  フェノキシエタノール                          0.20
１１  精製水                                  合計で100となる量
−−−−−−−−−−−−−−−−−−−−−−−−−−−−−−−−−
（調製方法）
Ｎｏ．１〜７を約８０℃に加温し溶解させた（Ａ部）。Ｎｏ．８〜１１を加え約８０℃に加温し溶解させた（Ｂ部）。Ａ部にＢ部を攪拌しながら徐々に加え乳化し、攪拌しながら約４０℃まで冷却した。
【０１０２】
実施例４２  洗顔フォーム
下記処方の洗顔フォームを調製した。この洗顔フォームは、泡立ちもよく、肌につるっとしたすべり感、さっぱりした感触を付与する等の効果が得られるものであった。
成        分                          配合量（重量％）
−−−−−−−−−−−−−−−−−−−−−−−−−−−−−−−−−
１    実施例３のポリエステル                          0.30
２    （ヤシ脂肪酸／水添牛脂脂肪酸）グルタミン酸Ｎａ  20.00
３    Ｐｌａｎｄｏｏｌ−Ｇ（日本精化）                0.50
４    ラウリン酸ジエタノールアミド                    2.00
５    ＰＥＧ−８                                      5.00
６    ＰＥＧ−３２                                    10.00
７    ＢＧ                                            14.00
８    プロピルパラベン                                0.10
９    メチルパラベン                                  0.20
１０  Ｌｉｐｉｄｕｒｅ  ＰＭＢ（日本油脂）            1.00
１１  結晶セルロース                                  10.00
１２  トコフェロール                                  0.20
１３  精製水                                  合計で100となる量
−−−−−−−−−−−−−−−−−−−−−−−−−−−−−−−−−
（調製方法）
Ｎｏ．１〜９、Ｎｏ．１２を約８０℃に加温し溶解させた。溶解後、Ｎｏ．１３を加え溶解させた。約６０℃で攪拌しながらＮｏ．１０、１１を加えて冷却した。
【０１０３】
実施例４３  ボディシャンプー
下記処方のボディシャンプーを調製した。このボディシャンプーは泡立ちよく、洗い上がりがしっとりし、皮膚が柔軟感を得られるものであった。
成        分                          配合量（重量％）
−−−−−−−−−−−−−−−−−−−−−−−−−−−−−−−−−
実施例１のポリエステル                            0.50
ココイルメチルタウリンＮａ                        10.00
ラウロイル加水分解シルクＮａ                      6.00
ラウロイルメチルアラニンＮａ                      10.00
ココアンホ酢酸Ｎａ（３０％）                      4.00
コカミドプロピルベタイン（３０％）                10.00
コカミドＤＥＡ                                    3.00
１，３−ブチレングリコール                        5.00
メチルパラベン                                    0.20
精製水                                    合計で100となる量
−−−−−−−−−−−−−−−−−−−−−−−−−−−−−−−−−
（製造方法）
全成分を約８０℃で加温して均一に攪拌混合した。
【０１０４】
実施例４４  ハンドソープ
下記処方のハンドソープを調製した。このハンドソープは泡立ちよく、洗い上がりがしっとりし、皮膚の柔軟感を得られるものであった。
成        分                          配合量（重量％）
−−−−−−−−−−−−−−−−−−−−−−−−−−−−−−−−
Ａ部
イセチオン酸Ｎａ                                    1.00
グリセリン                                          50.00
Ｂ部
ラウロイルサルコシン塩                              12.00
ミリストイルメチルタウリンナトリウム                2.00
ラウリン酸ポリグリセリル−６                        2.00
ヤシ油脂肪酸ジエタノールアミド                      2.00
合成ラテックス                                      0.10
ニトロセルロース                                    0.10
ソルビトール                                        8.00
コンキオリン分解ペプチド                            0.10
実施例８の油剤                                      2.50
１，３−ブチレングリコール                          8.00
Ｐｒｅｓｏｍｅ  ＯＲ（日本精化）
（リン脂質／コレステロール／γ−オリザノール複合体）0.10
フェノキシエタノール                                0.80
精製水                                      合計で100となる量
−−−−−−−−−−−−−−−−−−−−−−−−−−−−−−−−−
（調製方法）
Ａ部を約８０℃に加温し溶解させる。Ａ部にＢ部を加え、約８０℃に加温し均一溶解させた後冷却する。
【０１０５】
実施例４５  口紅
下記処方の口紅を調製した。この口紅は、塗布時の使用感が良く、唇につや、柔軟感を与えるものであった。
成        分                          配合量（重量％）
−−−−−−−−−−−−−−−−−−−−−−−−−−−−−−−−−
Ａ部
実施例２のポリエステル                              15.00
トリエチルヘキサノイン                              20.00
エチルヘキサン酸セチル                      合計で100となる量
シクロメチコン                                      16.00
ホホバ油                                            1.00
セレシン                                            9.00
キャンデリラロウ                                    5.00
セスキイソステアリン酸ソルビタン                    4.00
リンゴ酸ジイソステアリル                            1.00
パルミチン酸デキストリン                            1.00
ステアリルジメチコン                                0.05
メドウフォーム油                                    1.00
トコフェロール                                      0.50
Ｂ部
酸化鉄                                              2.25
マイカ                                              1.50
酸化チタン                                          2.25
赤２０２                                            1.50
−−−−−−−−−−−−−−−−−−−−−−−−−−−−−−−−−
（調製方法）
Ａ部を約１００〜１１０℃に加温し、均一に溶解させた。次にＢ部を加え、ロールミルで混合した。Ａ部とＢ部を加え、約８０℃に加温し、均一に撹拌混合した後、型に充填し急冷した。
【０１０６】
実施例４６  リップグロス
下記処方のリップグロスを調製した。このリップグロスは、塗布時の使用感が良く、適度な粘度があり、唇につや、柔軟感を与えるものであった。
成        分                          配合量（重量％）
−−−−−−−−−−−−−−−−−−−−−−−−−−−−−−−−−
実施例８の油剤                                      55.00
ポリエチレンワックス                                0.20
Ｐｌａｎｄｏｏｌ−Ｇ(日本精化)                      2.00
１２−ヒドロキシステアリン酸                        1.50
シア脂                                              0.10
シクロペンタシロキサン                              1.00
トコフェロール                                      適量
流動パラフィン                                合計で100となる量
Ｂ部
シリル化処理超微粒子無水ケイ酸                      2.00
（日本アエロジル社製アエロジルＲ９７２）
雲母チタン                                          12.00
−−−−−−−−−−−−−−−−−−−−−−−−−−−−−−−−−
（調製方法）
全成分を均一に加熱混合した後、Ｂ部を加え均一に混合した。
【０１０７】
実施例４７  ファンデーション
下記処方のファンデーションを調製した。このファンデーションは、肌への密着感が良く、肌に柔軟感を与えるものであった。
成        分                          配合量（重量％）
−−−−−−−−−−−−−−−−−−−−−−−−−−−−−−−−−
実施例６のポリエステル                              5.00
シクロメチコン                                      3.50
ジメチコン（５ｃｓ）                                2.00
ＹＯＦＣＯ  ＭＡＳ（日本精化）                      1.00
トリメチルシロキシケイ酸                            1.50
メトキシケイヒ酸オクチル                            1.00
フェノキシエタノール                                0.40
トコフェロール                                      0.10
マイカ                                              39.60
タルク                                      合計で100となる量
酸化チタン                                          20.00
酸化鉄                                              1.90
−−−−−−−−−−−−−−−−−−−−−−−−−−−−−−−−−
（調製方法）
全成分を高速攪拌し、均一に混合した。
【０１０８】
実施例４８  アイシャドー
下記処方のアイシャドーを製造した。このアイシャドーは、付着性が良く、良好な使用感を有するものであった。
成        分                              配合量（重量％）
−−−−−−−−−−−−−−−−−−−−−−−−−−−−−−−−−
１    タルク                                          10.00
２    カオリン                                        2.00
３    顔科                                            5.00
４    実施例９の油剤                                  1.00
５    ステアリン酸                                    3.00
６    ミリスチン酸イソプロピル                        8.00
７    流動パラフィン                                  8.00
８    モノラウリン酸プロピレングリコール              5.00
９    酸化防止剤                                      適量
１０  香科                                            適量
１１  １，３−ブチレングリコール                      5.00
１２  グリセリン                                      1.00
１３  防腐剤                                          適量
１４  トリエタノールアミン                            1.20
１５  金属イオン封鎖剤                                適量
１６  精製水                                  合計で100となる量
−−−−−−−−−−−−−−−−−−−−−−−−−−−−−−−−−
（調製方法）
Ｎｏ．１〜３をブレンダーで混合後、粉砕器で処理した（粉体部）。Ｎｏ．１１〜１６を７０〜７５℃で加熱溶解させた（水相部）。Ｎｏ．４〜１０を７０〜８０℃で加熱溶解させた（油相部）。粉体部を水相部に加え、撹拌混合した。これに油相部を撹拌しながら加え、ホモミキサーにより分散、室温まで撹拌冷却し、目的のアイシャドーを得た。
【０１０９】
実施例４９  マスカラ
下記処方のマスカラを製造した。このマスカラは、付着性が良く、良好な使用感を有し、また、安定性も良好であった。
成        分                          配合量（重量％）
−−−−−−−−−−−−−−−−−−−−−−−−−−−−−−−−−
１  酸化鉄（黒）                                    10.00
２  軽質イソパラフィン                              30.00
３  ポリアクリル酸エステルエマルション              30.00
４  固型パラフィン                                  8.00
５  実施例７の油剤                                  7.00
６  セスキオレイン酸ソルビタン                      4.00
７  防腐剤                                          適量
８  香料                                            適量
９  精製水                                    合計で100となる量
−−−−−−−−−−−−−−−−−−−−−−−−−−−−−−−−−
（調製方法）
Ｎｏ．９にＮｏ．１を加えホモミキサーで分散したのち、Ｎｏ．３を加え加熱して７０℃に保った（水相）。他の成分を混合し、加熱して７０℃に保った（油相）。油相に水相を加えホモミキサーで均一に乳化分散して目的のマスカラを得た。
【０１１０】
実施例５０  スキンケアクリーム
下記処方のクリームを調製した。このクリームは使用感に優れ、皮膚を柔軟にし、使用後の肌はべたつかずしっとりし、これらの効果は長時間持続する。
成        分                            配合量（重量％）
−−−−−−−−−−−−−−−−−−−−−−−−−−−−−−−−−
Ａ部
ＢＧ                                                8.00
グリセリン                                          5.00
Ｐｈｙｔｏｃｏｍｐｏ−ＰＰ（日本精化）              0.50
Ｐｈｙｔｏｐｒｅｓｏｍｅ  Ｑ１０（日本精化）        0.50
Ｐｈｙｔｏｐｒｅｓｏｍｅ  Ｃｅｒａ−２（日本精化）  0.20
Ｂ部
マカデミアナッツ油脂肪酸フィトステリル（日本精化）  2.00
メタクリル酸グリセリルアミドエチル・
メタクリル酸ステアリルコポリマー                  0.05
セバシン酸ジエチルヘキシル                          2.10
硬化油                                              4.50
ステアリルアルコール                                1.20
ベヘニルアルコール                                  1.80
親油型モノステアリン酸グリセリン                    1.80
イソステアリン酸ＰＯＥ(６０)グリセリル              1.10
ステアリン酸ＰＧ（ＳＥ）                            1.00
メチルポリシロキサン（10cs）                        1.50
ポリグリセリル−３ジシロキサンジメチコン            0.20
ラウリルポリグリセリル−３ポリジメチル
シロキシエチルジメチコン                          0.20
メトキシケイヒ酸エチルヘキシル                      0.15
実施例１０の油剤                                    1.00
エチルパラベン                                      0.15
Ｃ部
シクロヘキサンジカルボン酸ビスエトキシジグリコール  1.00
（エイコサン二酸/テトラデカン二酸）ポリグリセリル−１０
2.00
メチルパラベン                                      0.10
オキシベンゾン−４                                  0.10
フェノキシエタノール                                0.20
カルボマー                                          0.25
水酸化Ｋ                                            0.20
トラネキサム酸                                      0.50
精製水                                        合計で100となる量
−−−−−−−−−−−−−−−−−−−−−−−−−−−−−−−−−−
（調製方法）
Ａ部を約７０℃に加温し、均一に分散させる。Ｂ部を約８０℃に加温し、均一に溶解させる。Ｃ部を加えよく攪拌し、均一にする。Ａ部にＢ部を加え、約８０℃でホモミキサーを用い乳化する。その後攪拌しながら冷却し、約６０℃でＣ部を添加する。攪拌し、約４０℃まで冷却する。
【０１１１】
実施例５１  クリーム
下記処方のクリームを調製した。このクリームは皮膚を柔軟にし、使用後の肌は、べたつかずしっとりし、これらの効果は長時間持続する。
成        分                            配合量（重量％）
−−−−−−−−−−−−−−−−−−−−−−−−−−−−−−−−−
Ａ部
Ｐｌａｎｄｏｏｌ−Ｇ（日本精化）                    7.00
Ｐｌａｎｄｏｏｌ−Ｈ（日本精化）                    1.00
セバシン酸ジイソプロピル                            2.00
セバシン酸ジエチルヘキシル                          1.00
ＣＩＯ(日本精化)                                    5.00
イソステアリン酸バチル                              2.00
イソステアリン酸ＰＥＧ−６０グリセリル              1.50
実施例６のポリエステル                              0.50
シア脂                                              0.10
シクロペンタシロキサン                              1.00
メドウフォーム油                                    1.00
セラミド２                                          0.01
セラミド３                                          0.01
セラミド６                                          0.01
ピバリン酸イソステアリル                            0.10
テトラエチルヘキサン酸ペンタエリトリット            0.10
エチルパラベン                                      0.20
ステアリルアルコール                                3.50
ステアリン酸グリセリル（ＳＥ）                      1.00
トリイソステアリン酸硬化ヒマシ油                    1.00
ステアレス−６                                      1.50
ジステアリン酸ＰＥＧ−８                            1.00
セタノール                                          1.00
ジメチコン                                          1.00
ポリグリセリン変性シリコーン                        0.50
トコフェロール                                      0.10
Ｂ部
シロキクラゲ多糖体                                  0.05
チューベロース多糖体                                0.01
水溶性コラーゲン                                    0.05
加水分解コラーゲン                                  0.05
2−メタクリロイルオキシエチルホスホリルコリン・
メタクリル酸ブチル共重合体液                      0.05
（ＨＥＭＡグルコシド／メタクリル酸エチルトリモニウム
クロリド）コポリマー（２０％、日本精化）          0.40
Ｃ部
シクロヘキサンジカルボン酸ビスエトキシジグリコ      1.00
（エイコサン二酸/テトラデカン二酸）ポリグリセリル−１０
1.00
ピロ亜硫酸Ｎａ                                      0.10
イミダゾリニウムウレア                              0.10
ポリビニルピロリドン                                0.10
プルラン                                            0.10
ポリビニルアルコール                                0.10
デヒドロ酢酸                                        0.10
ＢＧ                                                2.00
ＰＥＧ                                              1.00
グリセリン                                          1.00
ジグリセリン                                        1.00
ポリグリセリン                                      1.00
ペンテト酸                                          0.05
リン酸、リン酸Ｎａ                                  適量
水酸化Ｎａ                                          適量
精製水                                      合計で100となる量
−−−−−−−−−−−−−−−−−−−−−−−−−−−−−−−−−
（調製方法）
Ａ部を約８０℃に加温し、均一に溶解させた。Ｃ部を約８０℃に加温し、溶解させた。約８０℃でホモミキサーにて攪拌しながら、Ａ部にＣ部を徐々に加え、乳化後均一に混合し、約４０℃まで冷却し、Ｂ部を加え、均一に混合した。リン酸、リン酸Ｎａを加えてｐＨを４．５〜５．５に調整した。
【０１１２】
実施例５２  ハンドクリーム
下記処方のハンドクリームを調製した。このハンドクリームは、べたつかず、撥水性のあるハンドクリームであった。
成        分                            配合量（重量％）
−−−−−−−−−−−−−−−−−−−−−−−−−−−−−−−−−
Ａ部
Ｐｌａｎｄｏｏｌ−Ｇ（日本精化）                      0.30
ジメチコン                                            2.00
（ジメチコン／ビニルジメチコン）クロスポリマー        0.10
(ビニルジメチコン／ラウリルジメチコン)クロスポリマー  0.10
(ジメチコン／ＰＥＧ−１０／１５)クロスポリマー        0.10
(ＰＥＧ−１５／ラウリルジメチコン)クロスポリマー      0.10
(アクリル酸アルキル／ジメチコン)コポリマー            0.10
ベヘニルアルコール                                    2.50
ＣＩＯ（日本精化）                                    3.00
実施例７の油剤                                        3.70
プロピルパラベン                                      0.10
ジメチコン                                            4.00
ミネラルオイル                                        1.00
Ｂ部
水添レシチン                                          1.00
ＢＧ                                                  5.00
メチルパラベン                                        0.20
Ｃ部
キサンタンガム（２％水溶液）                          15.00
水                                          合計で100となる量
−−−−−−−−−−−−−−−−−−−−−−−−−−−−−−−−−
（調製方法）
Ｂ部を溶解させた後、Ａ部を加え、約７０℃に加温する（Ｄ部）。Ｃ部を約７０℃にする。Ｄ部にＣ部を攪拌しながら加え、約３分間ホモミキサーで攪拌、混合する。均一に混合した後、約４０℃まで冷却する。
【０１１３】
実施例５３  ハンドクリーム
下記処方のハンドクリームを調製した。このハンドクリームは、べたつかず、撥水性のあるハンドクリームであった。
成        分                            配合量（重量％）
−−−−−−−−−−−−−−−−−−−−−−−−−−−−−−−−−
Ａ部
流動パラフィン                                      20.00
ワセリン                                            20.00
マイクロクリスタリンワックス                        4.00
ステアリン酸Ａｌ                                    1.50
ステアリン酸Ｍｇ                                    1.00
ステアリン酸Ｃａ                                    0.10
Ｂ部
実施例５のポリエステル                              2.00
ラノリン脂肪酸コレステリル                          2.00
プロピルパラベン                                    0.10
トコフェロール                                      0.05
シクロペンタシロキサン                              5.00
ジメチコン                                          5.00
Ｃ部
メチルパラベン                                      0.10
水                                          合計で100となる量
−−−−−−−−−−−−−−−−−−−−−−−−−−−−−−−−−
（調製方法）
Ｃ部を約８０℃に加温し溶解させる。別の容器にＡ部をとり、１００〜１２０℃に加温、透明ゲル化し８０℃まで冷却する。Ｂ部のうち実施例５のポリエステルをＡ部に加え、攪拌する。さらに残りのＢ部を加え、約８０℃で加温溶解する（Ｄ部）。Ｄ部にＣ部を攪拌しながら加え、乳化する。均一に混合した後、約４０℃まで冷却する。
【０１１４】
実施例５４  サンスクリーン剤
下記処方のサンスクリーン剤を調製した。このサンスクリーン剤は撥水性に優れ、べたつかず、皮膚にしっとり感と柔軟感を与えるものであった。
成        分                              配合量（重量％）
−−−−−−−−−−−−−−−−−−−−−−−−−−−−−−−−−
Ａ部
クオタニウム−１８ヘクトライト                      1.00
Ｂ部
シクロメチコン                                      13.70
ジフェニルジメチコン                                7.00
ジメチコンコポリオール                              5.50
Ｃ部
シリコーン処理微粒子酸化チタン                      3.90
シリコーン処理酸化亜鉛                              2.10
Ｄ部
ステアリン酸Ａｌ                                    0.70
水酸化Ａｌ                                          0.50
イソノナン酸イソノニル                              2.50
ネオペンタン酸イソデシル                            1.50
Ｎｅｏｓｏｌｕｅ−ＤＥ（日本精化）                  1.00
実施例５のポリエステル                              2.00
Ｅ部
トリメチルシロキシケイ酸                            1.20
ジメチコン                                          0.80
メチコン                                            0.10
ポリメチルシルセスキオキサン                        0.10
トリフルオロアルキルジメチルトリメチルシロキシケイ酸  0.10
セテアリルジメチコンクロスポリマー                  0.10
グリチルレチン酸ステアリル                          0.02
セスキオレイン酸ソルビタン                          2.00
トコフェロール                                      0.02
Ｆ部
塩化Ｎａ                                            1.00
メチルパラベン                                      0.15
精製水                                      合計で100となる量
−−−−−−−−−−−−−−−−−−−−−−−−−−−−−−−−−
（製造方法）
Ａ部をＢ部に加え，攪拌する。更にＣ部を加えローラーミルを使用して分散させた。Ｄ部を加温融解して、Ａ・Ｂ・Ｃの混合物に加え、更にＥ部を加えて約７０℃にした。Ｆ部を加温し、ＡからＥの混合物に撹拌しながら徐々に添加し乳化した後、撹拌しながら４０℃まで冷却した。
【０１１５】
実施例５５  ヘアオイル
下記処方のヘアオイルを調製した。このヘアオイルは、毛髪に塗布すると、艶があり、べたつかず、滑らかさを付与するオイルであった。
成        分                          配合量（重量％）
−−−−−−−−−−−−−−−−−−−−−−−−−−−−−−−−−
実施例８の油剤                                    10.00
ジメチコノール                                    2.00
ジメチコン                                        2.00
Ｎｅｏｓｏｌｕｅ−ＤＥ（日本精化）                10.00
Ｎｅｏｓｏｌｕｅ−ＥＨＳ（日本精化）              10.00
Ｎｅｏｓｏｌｕｅ−ＭＣＴ（日本精化）              20.00
トコフェロール                                    0.10
プロピルパラベン                                  0.10
シクロペンタシロキサン                      合計で100となる量
−−−−−−−−−−−−−−−−−−−−−−−−−−−−−−−−−
（調製方法）
全成分を加熱溶解し、混合した。
【０１１６】
実施例５６  クレンジングオイル
このクレンジングオイルは、感触がさっぱりしており、ファンデーション、メイク等となじみも良く、これらを素早く落とすことができるものであった。
成        分                          配合量（重量％）
−−−−−−−−−−−−−−−−−−−−−−−−−−−−−−−−−
実施例１０の油剤                                  60.00
ラウレス−４                                      7.00
トコフェロール                                    適量
プロピルパラベン                                  適量
オクタン酸セチル                          合計で100となる量
ミネラルオイル                                    10.00
−−−−−−−−−−−−−−−−−−−−−−−−−−−−−−−−−
（調製方法）
全成分を加熱溶解し、混合した。